(57)【特許請求の範囲】
【請求項１】
無線通信システムにおいて端末がデータユニットを送信する方法において、
前記端末が、１つ以上のニューマロロジーセットのための第１設定情報を受信し、各々のニューマロロジーセットは１つ以上のニューマロロジーを含む段階と、
前記端末が、１つ以上の論理チャネルのための第２設定情報を受信し、各々の論理チャネルは１つ以上のニューマロロジーにマッピングされる段階と、
前記端末が、新しい送信のための第１上りリンク(ｕｐｌｉｎｋ、ＵＬ)グラントを受信し、前記第１ＵＬグラントは前記第１ＵＬグラントに連関するニューマロロジーセットを指示する情報を含む段階と、
前記端末が、媒体接近制御(ｍｅｄｉｕｍ Ａｃｃｅｓｓ ｃｏｎｔｒｏｌ、ＭＡＣ)プロトコルデータユニット(ｐｒｏｔｏｃｏｌ ｄａｔａ ｕｎｉｔ、ＰＤＵ)を生成する段階と、
前記端末が、前記第１ＵＬグラントを用いて前記ＭＡＣ ＰＤＵの新しい送信を行う段階と、
前記端末が再送信のための第２ＵＬグラントを受信し、前記第２ＵＬグラントは前記再送信のためのニューマロロジーを指示する情報を含む段階と、
前記再送信のためのニューマロロジーが前記第１ＵＬグラントが指示するニューマロロジーセットに属すると、前記端末が前記第２ＵＬグラントを用いて前記ＭＡＣ ＰＤＵの再送信を行う段階とを含み、
前記ＭＡＣ ＰＤＵは、前記ニューマロロジーセットに属するニューマロロジーのそれぞれの論理チャネルからのデータを含む、方法。
【請求項２】
前記ＭＡＣ ＰＤＵは、前記ニューマロロジーセットに属しないニューマロロジーにマッピングされた論理チャネルからのデータは含まない、請求項１に記載の方法。
【請求項３】
前記再送信のためのニューマロロジーが前記第１ＵＬグラントが指示するニューマロロジーセットに属しないと、前記端末は前記ＭＡＣ ＰＤＵの再送信を行わない、請求項１に記載の方法。
【請求項４】
各々のニューマロロジーは少なくとも副搬送波間隔又は送信時間間隔の長さを指示する、請求項１に記載の方法。
【請求項５】
前記第１設定情報は各ニューマロロジーセットに属するニューマロロジーの最小及び／又は最大値を指示して該当ニューマロロジーセットを指示する、請求項１に記載の方法。
【請求項６】
無線通信システムにおいてデータユニットを送信する端末において、
無線周波数(ｒａｄｉｏ ｆｒｅｑｕｅｎｃｙ、ＲＦ)ユニットと、
前記ＲＦユニットを制御するように構成されたプロセッサを含み、前記プロセッサは、
前記ＲＦユニットを制御して１つ以上のニューマロロジーセットのための第１設定情報を受信し、各々のニューマロロジーセットは１つ以上のニューマロロジーを含み、
前記ＲＦユニットを制御して１つ以上の論理チャネルのための第２設定情報を受信し、各々の論理チャネルは１つ以上のニューマロロジーにマッピングされ、
前記ＲＦユニットを制御して新しい送信のための第１上りリンク(ｕｐｌｉｎｋ、ＵＬ)グラントを受信し、前記第１ＵＬグラントは前記第１ＵＬグラントに連関するニューマロロジーセットを指示する情報を含み、
媒体接近制御(ｍｅｄｉｕｍ Ａｃｃｅｓｓ ｃｏｎｔｒｏｌ、ＭＡＣ)プロトコルデータユニット(ｐｒｏｔｏｃｏｌ ｄａｔａ ｕｎｉｔ、ＰＤＵ)を生成し、
前記ＲＦユニットを制御して前記第１ＵＬグラントを用いて前記ＭＡＣ ＰＤＵの新しい送信を行うように構成され、
前記プロセッサは前記ＲＦユニットを制御して再送信のための第２ＵＬグラントを受信し、前記第２ＵＬグラントは前記再送信のためのニューマロロジーを指示する情報を含み、
前記再送信のためのニューマロロジーが前記第１ＵＬグラントが指示するニューマロロジーセットに属すると、前記第２ＵＬグラントを用いて前記ＭＡＣ ＰＤＵの再送信を行うように構成され、
前記ＭＡＣ ＰＤＵは、前記ニューマロロジーセットに属するニューマロロジーのそれぞれの論理チャネルからのデータを含む、端末。
【請求項７】
前記ＭＡＣ ＰＤＵは、前記ニューマロロジーセットに属しないニューマロロジーにマッピングされた論理チャネルからのデータは含まない、請求項６に記載の端末。
【請求項８】
前記再送信のためのニューマロロジーが前記第１ＵＬグラントが指示するニューマロロジーセットに属しないと、前記プロセッサは前記ＲＦユニットを制御して前記ＭＡＣ ＰＤＵの再送信を行わないように構成される、請求項６に記載の端末。
【請求項９】
各々のニューマロロジーは少なくとも副搬送波間隔又は送信時間間隔の長さを指示する、請求項６に記載の端末。
【請求項１０】
前記第１設定情報は各ニューマロロジーセットに属するニューマロロジーの最小及び／又は最大値を指示して該当ニューマロロジーセットを指示する、請求項６に記載の端末。
【発明の詳細な説明】
【技術分野】
【０００１】
本発明は無線通信システムに関し、特に、データユニットを送信する方法及びそのための装置に関する。
【背景技術】
【０００２】
本発明を適用できる無線通信システムの一例として、３ＧＰＰ ＬＴＥ（３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、“ＬＴＥ”という）通信システムについて概略的に説明する。
【０００３】
図１は無線通信システムの一例であって、Ｅ−ＵＭＴＳネットワーク構造を示す概略図である。Ｅ−ＵＭＴＳ（Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ）は、既存のＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ Ｔｅｒｍ Ｅｖｏｌｕｔｉｏｎ）システムと称することもできる。ＵＭＴＳ及びＥ−ＵＭＴＳの技術規格（ｔｅｃｈｎｉｃａｌ ｓｐｅｃｉｆｉｃａｔｉｏｎ）の詳細な内容は、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ ａｃｃｅｓｓ Ｎｅｔｗｏｒｋ」のＲｅｌｅａｓｅ ７とＲｅｌｅａｓｅ ８を参照することができる。
【０００４】
図１を参照すると、Ｅ−ＵＭＴＳは、端末（Ｕｓｅｒ Ｅｑｕｉｐｍｅｎｔ；ＵＥ）、基地局（ｅＮｏｄｅ Ｂ；ｅＮＢ）、及びネットワーク（Ｅ−ＵＴＲＡＮ）の終端に位置し、外部ネットワークと接続される接続ゲートウェイ（Ａｃｃｅｓｓ Ｇａｔｅｗａｙ；ＡＧ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、複数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ Ａｕｔｏｍａｔｉｃ Ｒｅｐｅａｔ ａｎｄ ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網（Ｃｏｒｅ Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ Ａｒｅａ）単位で端末の移動性を管理する。
【０００６】
無線通信技術は、ＷＣＤＭＡに基づいてＬＴＥまで開発されてきたが、ユーザと事業者の要求と期待は持続的に増加している。また、他の無線接続技術が継続して開発されているので、今後、競合力を有するためには新たな技術進化が要求され、ビット当たりの費用減少、サービス可用性増大、融通性のある周波数バンドの使用、単純構造と開放型インターフェース、端末の適切なパワー消耗などが要求される。
【０００７】
より多くの通信装置がより大きい通信容量を要求することにより、レガシー無線アクセス技術（ｒａｄｉｏ ａｃｃｅｓｓ ｔｅｃｈｎｏｌｏｇｙ；ＲＡＴ）に比べて向上したモバイル広帯域通信に対する必要性が台頭しつつある。また、複数の装置と客体（ｏｂｊｅｃｔ）とを相互接続していつどこでも様々なサービスを提供するための大規模機械タイプ通信（ｍａｓｓｉｖｅ ｍａｃｈｉｎｅ ｔｙｐｅ ｃｏｍｍｕｎｉｃａｔｉｏｎ；ｍＭＴＣ）は、次世代通信において考慮すべき主要争点の一つである。また、信頼度及び待機時間に敏感なサービス／ＵＥを考慮して設計される通信システムに関する議論が進行中である。次世代（ｎｅｘｔ ｇｅｎｅｒａｔｉｏｎ）無線アクセス技術の導入は、向上したモバイル広帯域通信（ｅＭＢＢ）、ｍＭＴＣ、超高信頼性及び低待機時間通信（ｕｌｔｒａ−ｒｅｌｉａｂｌｅ ａｎｄ ｌｏｗ ｌａｔｅｎｃｙ ｃｏｍｍｕｎｉｃａｔｉｏｎ；ＵＲＬＬＣ）などを考慮して論議されている。
【発明の概要】
【発明が解決しようとする課題】
【０００８】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に效率的に受信／送信するための新しい方案が要求される。
【０００９】
なお、技術の発達に伴ってディレイ（ｄｅｌａｙ）或いは遅延（ｌａｔｅｎｃｙ）の克服が重要な課題として台頭しつつある。性能がディレイ／遅延によって大きく左右されるアプリケーションが増加していることから、既存システムに比べてディレイ／遅延を減らすための方案が要求されている。
【００１０】
また、スマート機器の発達に伴って、少ない量のデータを効率的に送信／受信或いは低い頻度で発生するデータを効率的に送信／受信するための新しい方案も要求されている。
【００１１】
また、新しい無線接続技術を支援するシステムで効率的に信号を送信／受信する方法が要求される。
【００１２】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【００１３】
本発明の一側面によれば、無線通信システムにおいて端末がデータユニットを送信する方法が提供される。この方法は、１つ以上のニューマロロジーセットのための第１設定情報を受信し、各々のニューマロロジーセットは、１つ以上のニューマロロジーを含む段階と、１つ以上の論理チャネルのための第２設定情報を受信し、各々の論理チャネルは１つ以上のニューマロロジーにマッピングされる段階と、新しい送信のための第１上りリンク(ｕｐｌｉｎｋ、ＵＬ)グラントを受信し、第１ＵＬグラントは第１ＵＬグラントに連関するニューマロロジーセットを指示する情報を含む段階と、媒体接近制御(ｍｅｄｉｕｍ Ａｃｃｅｓｓ ｃｏｎｔｒｏｌ、ＭＡＣ)プロトコルデータユニット(ｐｒｏｔｏｃｏｌ ｄａｔａ ｕｎｉｔ、ＰＤＵ)を生成する段階と、第１ＵＬグラントを用いてＭＡＣ ＰＤＵの新しい送信を行う段階を含む。ＭＡＣ ＰＤＵは、所有しているニューマロロジーがいずれもニューマロロジーセットに属する論理チャネルからのデータを含むように生成される。
【００１４】
本発明の他の側面によれば、無線通信システムにおいてデータユニットを送信する端末が提供される。この端末は、無線周波数(ｒａｄｉｏ ｆｒｅｑｕｅｎｃｙ、ＲＦ)ユニットと、該ＲＦユニットを制御するように構成されたプロセッサを含む。このプロセッサは、ＲＦユニットを制御して１つ以上のニューマロロジーセットのための第１設定情報を受信し、各々のニューマロロジーセットは１つ以上のニューマロロジーを含み、ＲＦユニットを制御して１つ以上の論理チャネルのための第２設定情報を受信し、各々の論理チャネルは１つ以上のニューマロロジーにマッピングされ、ＲＦユニットを制御して新しい送信のための第１上りリンク(ｕｐｌｉｎｋ、ＵＬ)グラントを受信し、第１ＵＬグラントは第１ＵＬグラントに連関するニューマロロジーセットを指示する情報を含み、媒体接近制御(ｍｅｄｉｕｍ Ａｃｃｅｓｓ ｃｏｎｔｒｏｌ、ＭＡＣ)プロトコルデータユニット(ｐｒｏｔｏｃｏｌ ｄａｔａ ｕｎｉｔ、ＰＤＵ)を生成し、ＲＦユニットを制御して第１ＵＬグラントを用いてＭＡＣ ＰＤＵの新しい送信を行うように構成される。ＭＡＣ ＰＤＵは、有しているニューマロロジーがいずれもニューマロロジーセットに属する論理チャネルからのデータを含むように生成される。
【００１５】
本発明の各側面において、ＭＡＣ ＰＤＵは、ニューマロロジーセットに属しないニューマロロジーにマッピングされた論理チャネルからのデータは含まないように生成される。
【００１６】
本発明の各側面において、端末は再送信のための第２ＵＬグラントを受信する。第２ＵＬグラントは再送信のためのニューマロロジーを指示する情報を含む。再送信のためのニューマロロジーが第１ＵＬグラントが指示するニューマロロジーセットに属すると、端末は第２ＵＬグラントを用いてＭＡＣ ＰＤＵの再送信を行う。
【００１７】
本発明の各側面において、再送信のためのニューマロロジーが第１ＵＬグラントが指示するニューマロロジーセットに属しないと、端末はＭＡＣ ＰＤＵの再送信を行わない。
【００１８】
本発明の各側面において、各々のニューマロロジーは少なくとも副搬送波間隔又は送信時間間隔の長さを指示する。
【００１９】
本発明の各側面において、第１設定情報は各ニューマロロジーセットに属するニューマロロジーの最小及び／又は最大値を指示して該当ニューマロロジーセットを指示する。
【００２０】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
【発明の効果】
【００２１】
本発明によれば、上りリンク／下りリンク信号を效率的に送信／受信することができる。これによって、無線通信システムの全体処理量（ｔｈｒｏｕｇｈｐｕｔ）が向上する。
【００２２】
本発明の一実施例によれば、低価／低複雑度のＵＥがレガシーシステムと互換性を維持しながら低コストで基地局（ｂａｓｅ ｓｔａｔｉｏｎ；ＢＳ）と通信を行うことができる。
【００２３】
本発明の一実施例によれば、低価／低複雑度のＵＥを実現することができる。
【００２４】
本発明の一実施例によれば、ＵＥとＢＳとが低い帯域（ｎａｒｒｏｗｂａｎｄ）で互いに通信を行うことができる。
【００２５】
本発明の一実施例によれば、ＵＥとＢＳとの通信過程において発生するディレイ／遅延を低くできる。
【００２６】
また、スマート機器のための少ない量のデータを効率的に送信／受信或いは低い頻度で発生するデータを効率的に送信／受信することができる。
【００２７】
また、新しい無線接続技術を支援するシステムで信号が効率的に送信／受信されることができる。
【００２８】
本発明の一実施例によれば、少ない量のデータを効率的に送信／受信することができる。
【００２９】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００３０】
本発明に関する理解を助けるために詳細な説明の一部として含まれる添付の図面は、本発明に関する実施例を提供し、詳細な説明と共に本発明の技術的思想を説明する。
【００３１】
【図１】無線通信システムの一例であって、Ｅ−ＵＭＴＳネットワーク構造を示す概略図である。
【図２】Ｅ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。
【図３】一般的なＥ−ＵＴＲＡＮ及びＥＰＣの構造を示すブロック図である。
【図４】３ＧＰＰ無線接続ネットワーク規格に基づくユーザ機器(ｕｓｅｒ ｅｑｕｉｐｍｅｎｔ、ＵＥ)とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ、ＣＰ)及びユーザ平面(Ｕｓｅｒ Ｐｌａｎｅ、ＵＰ)構造を示す図である。
【図５】Ｅ−ＵＭＴＳシステムにおいて用いる物理チャネル構造の一例を示す図である。
【図６】端末側における媒体接近制御(ｍｅｄｉｕｍ Ａｃｃｅｓｓ ｃｏｎｔｒｏｌ、ＭＡＣ)構造の概要を示す図である。
【図７】現在のＬＴＥ／ＬＴＥ−Ａシステムにおいて、論理チャネル優先順位(ｌｏｇｉｃａｌ ｃｈａｎｎｅｌ ｐｒｉｏｒｉｔｉｚａｔｉｏｎ、ＬＣＰ)の決定手順によって論理チャネルへの上りリンクリソースの割り当てを示す図である。
【図８】多数のニューマロロジーを有する論理チャネルに対する論理チャネル優先順位の決定方式を示す図である。
【図９】本発明による多数のニューマロロジーを有する論理チャネルに対する他の論理チャネル優先順位の決定方式を示す図である。
【図１０】本発明を実行する送信装置１００及び受信装置２００の構成要素を示すブロック図である。
【発明を実施するための形態】
【００３２】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００３３】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００３４】
以下に説明する技法（ｔｅｃｈｎｉｑｕｅ）及び装置、システムは、様々な無線多元接続システムに適用することができる。多元接続システムの例には、ＣＤＭＡ（ｃｏｄｅ ｄｉｖｉｓｉｏｎ ｍｕｌｔｉｐｌｅ ａｃｃｅｓｓ）システム、ＦＤＭＡ（ｆｒｅｑｕｅｎｃｙ ｄｉｖｉｓｉｏｎ ｍｕｌｔｉｐｌｅ ａｃｃｅｓｓ）システム、ＴＤＭＡ（ｔｉｍｅ ｄｉｖｉｓｉｏｎ ｍｕｌｔｉｐｌｅ ａｃｃｅｓｓ）システム、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）システム、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）システム、ＭＣ−ＦＤＭＡ（ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ）システムなどがある。ＣＤＭＡは、ＵＴＲＡ（Ｕｎｉｖｅｒｓａｌ Ｔｅｒｒｅｓｔｒｉａｌ Ｒａｄｉｏ ａｃｃｅｓｓ）又はＣＤＭＡ２０００のような無線技術（ｔｅｃｈｎｏｌｏｇｙ）によって具現することができる。ＴＤＭＡは、ＧＳＭ（Ｇｌｏｂａｌ Ｓｙｓｔｅｍ ｆｏｒ Ｍｏｂｉｌｅ ｃｏｍｍｕｎｉｃａｔｉｏｎ）、ＧＰＲＳ（Ｇｅｎｅｒａｌ Ｐａｃｋｅｔ Ｒａｄｉｏ Ｓｅｒｖｉｃｅ）、ＥＤＧＥ（Ｅｎｈａｎｃｅｄ Ｄａｔａ Ｒａｔｅｓ ｆｏｒ ＧＳＭ Ｅｖｏｌｕｔｉｏｎ）（ｉ．ｅ．，ＧＥＲＡＮ）などのような無線技術によって具現することができる。ＯＦＤＭＡは、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ−ＵＴＲＡ）などのような無線技術によって具現することができる。ＵＴＲＡは、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）の一部であり、３ＧＰＰ（３ｒｄ Ｇｅｎｅｒａｔｉｏｎ Ｐａｒｔｎｅｒｓｈｉｐ Ｐｒｏｊｅｃｔ）ＬＴＥ（Ｌｏｎｇ Ｔｅｒｍ Ｅｖｏｌｕｔｉｏｎ）は、Ｅ−ＵＴＲＡを用いるＥ−ＵＭＴＳの一部である。３ＧＰＰ ＬＴＥは、下りリンク（ｄｏｗｎｌｉｎｋ、ＤＬ）ではＯＦＤＭＡを採択し、上りリンク（ｕｐｌｉｎｋ、ＵＬ）ではＳＣ−ＦＤＭＡを採択している。ＬＴＥ−Ａ（ＬＴＥ−ａｄｖａｎｃｅｄ）は、３ＧＰＰ ＬＴＥの進化した形態である。説明の便宜のために、以下では、本発明が３ＧＰＰ ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ ＬＴＥ／ＬＴＥ−Ａシステムに対応する移動通信システムに基づいて説明されても、３ＧＰＰ ＬＴＥ／ＬＴＥ−Ａ特有の事項以外は、他の任意の移動通信システムにも適用可能である。
【００３５】
例えば、本発明は、３ＧＰＰ ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（ｎｏｎ−ｃｏｎｔｅｎｔｉｏｎ ｂａｓｅｄ）通信だけでなく、Ｗｉ−Ｆｉのような競合ベース（ｃｏｎｔｅｎｔｉｏｎ ｂａｓｅｄ）通信にも適用することができる。非−競合ベース通信技法は、接続ポイント（ａｃｃｅｓｓ ｐｏｉｎｔ、ＡＰ）或いは上記接続ポイントを制御する制御ノード（ｎｏｄｅ）が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続（ｃａｒｒｉｅｒ ｓｅｎｓｅ ｍｕｌｔｉｐｌｅ ａｃｃｅｓｓ、ＣＳＭＡ）がある。ＣＳＭＡとは、ノード或いは通信機器が周波数帯域（ｂａｎｄ）のような、共有送信媒体（ｓｈａｒｅｄ ｔｒａｎｓｍｉｓｓｉｏｎ ｍｅｄｉｕｍ）（共有チャネルともいう。）上でトラフィック（ｔｒａｆｆｉｃ）を送信する前に、同一の共有送信媒体上に他のトラフィックがないことを確認する確率的（ｐｒｏｂａｂｉｌｉｓｔｉｃ）媒体接続制御（ｍｅｄｉａ ａｃｃｅｓｓ ｃｏｎｔｒｏｌ、ＭＡＣ）プロトコル（ｐｒｏｔｏｃｏｌ）を指す。ＣＳＭＡにおいて送信装置は受信装置にトラフィックを送ることを試みる前に、他の送信が進行中であるか否か決定する。換言すれば、送信装置は、送信を試みる前に、他の送信装置からの搬送波（ｃａｒｒｉｅｒ）の存在を検出（ｄｅｔｅｃｔ）することを試みる。搬送波が感知されると、送信装置は、自身の送信を開始する前に、進行中の他の送信装置によって送信が完了（ｆｉｎｉｓｈ）することを待つ。結局、ＣＳＭＡは、“ｓｅｎｓｅ ｂｅｆｏｒｅ ｔｒａｎｓｍｉｔ”或いは“ｌｉｓｔｅｎ ｂｅｆｏｒｅ ｔａｌｋ”の原理を基盤にした通信技法といえる。ＣＳＭＡを用いる競合ベース通信システムにおいて送信装置間の衝突を回避するための技法としてＣＳＭＡ／ＣＤ（Ｃａｒｒｉｅｒ Ｓｅｎｓｅ Ｍｕｌｔｉｐｌｅ ａｃｃｅｓｓ ｗｉｔｈ Ｃｏｌｌｉｓｉｏｎ Ｄｅｔｅｃｔｉｏｎ）及び／又はＣＳＭＡ／ＣＡ（Ｃａｒｒｉｅｒ Ｓｅｎｓｅ Ｍｕｌｔｉｐｌｅ ａｃｃｅｓｓ ｗｉｔｈ Ｃｏｌｌｉｓｉｏｎ Ａｖｏｉｄａｎｃｅ）が用いられる。ＣＳＭＡ／ＣＤは、有線ＬＡＮ環境での衝突検出技法であり、イーサネット（ｅｔｈｅｒｎｅｔ）環境で通信をしようとするＰＣ（Ｐｅｒｓｏｎａｌ Ｃｏｍｐｕｔｅｒ）やサーバー（ｓｅｒｖｅｒ）がまず、ネットワーク上で通信が行われているか確認した後、他の装置（ｄｅｖｉｃｅ）がデータを上記ネットワーク上で載せて送っていると、待ってからデータを送る。即ち、２人以上のユーザ（例、ＰＣ、ＵＥなど）が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自身のデータ送信を調節する。Ｃ��ＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、即ち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定（ｒｅｃｏｎｆｉｇｕｒａｔｉｏｎ）するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００３６】
後述する本発明の実施例において「仮定する」という表現は、チャネルを送信する主体が該当の「仮定」に符合するように上記チャネルを送信することを意味できる。上記チャネルを受信する主体は、上記チャネルが該当の「仮定」に符合するように送信されたという前提下に、該当の「仮定」に符合する形態で上記チャネルを受信或いは復号するものであることを意味できる。
【００３７】
本発明において、ＵＥは、固定していても移動性を有してもよく、基地局（ｂａｓｅ ｓｔａｔｉｏｎ、ＢＳ）と通信してユーザデータ及び／又は各種制御情報を送受信する各種機器がこれに属する。ＵＥは、端末（Ｔｅｒｍｉｎａｌ Ｅｑｕｉｐｍｅｎｔ）、ＭＳ（Ｍｏｂｉｌｅ Ｓｔａｔｉｏｎ）、ＭＴ（Ｍｏｂｉｌｅ Ｔｅｒｍｉｎａｌ）、ＵＴ（Ｕｓｅｒ Ｔｅｒｍｉｎａｌ）、ＳＳ（Ｓｕｂｓｃｒｉｂｅ Ｓｔａｔｉｏｎ）、無線機器（ｗｉｒｅｌｅｓｓ ｄｅｖｉｃｅ）、ＰＤＡ（Ｐｅｒｓｏｎａｌ Ｄｉｇｉｔａｌ Ａｓｓｉｓｔａｎｔ）、無線モデム（ｗｉｒｅｌｅｓｓ ｍｏｄｅｍ）、携帯機器（ｈａｎｄｈｅｌｄ ｄｅｖｉｃｅ）などと呼ぶことができる。また、本発明において、ＢＳは、一般に、ＵＥ及び／又は他のＢＳと通信する固定局（ｆｉｘｅｄ ｓｔａｔｉｏｎ）のことをいい、ＵＥ及び他のＢＳと通信して各種データ及び制御情報を交換する。ＢＳは、ＡＢＳ（Ａｄｖａｎｃｅｄ Ｂａｓｅ Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ Ｔｒａｎｓｃｅｉｖｅｒ Ｓｙｓｔｅｍ）、接続ポイント（Ａｃｃｅｓｓ Ｐｏｉｎｔ）、ＰＳ（Ｐｒｏｃｅｓｓｉｎｇ Ｓｅｒｖｅｒ）等の他の用語と呼ぶこともできる。特に、ＵＭＴＳのＢＳはＮＢといい、ＥＰＣ/ＬＴＥのＢＳはｅＮＢといい、新しい無線(ｎｅｗ ｒａｄｉｏ、ＮＲ)システムのＢＳはｇＮＢという。説明の便宜上、本発明を説明するにおいて、ＢＳをｅＮＢともいう。
【００３８】
本発明でいうノード（ｎｏｄｅ）とは、ＵＥと通信して無線信号を送信／受信し得る固定した地点（ｐｏｉｎｔ）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ ｒｅｍｏｔｅ ｈｅａｄ、ＲＲＨ）、無線リモートユニット（ｒａｄｉｏ ｒｅｍｏｔｅ ｕｎｉｔ、ＲＲＵ）とすることもできる。ＲＲＨ、ＲＲＵなどは、一般に、ｅＮＢの電力レベル（ｐｏｗｅｒ ｌｅｖｅｌ）よりも低い電力レベルを有する。ＲＲＨ或いはＲＲＵ（以下、ＲＲＨ／ＲＲＵ）は、一般に、光ケーブルなどの専用回線（ｄｅｄｉｃａｔｅｄ ｌｉｎｅ）でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント（ｐｏｉｎｔ）とも呼ばれる。
【００３９】
本発明でいうセル（ｃｅｌｌ）とは、１つ以上のノードが通信サービスを提供する一定の地理的領域を指す。従って、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル（ｓｅｒｖｉｎｇ ｃｅｌｌ）という。
【００４０】
一方、３ＧＰＰ ＬＴＥ／ＬＴＥ−Ａシステムは、無線リソースを管理するためにセル（ｃｅｌｌ）の概念を用いているが、無線リソースと関連付く（ｃｅｌｌ）は、地理的領域のセル（ｃｅｌｌ）と区別される。
【００４１】
地理的領域の“セル”は、ノードが搬送波を用いてサービスを提供できるカバレッジ（ｃｏｖｅｒａｇｅ）と理解することができ、無線リソースの“セル”は、上記搬送波によって設定（ｃｏｎｆｉｇｕｒｅ）される周波数範囲である帯域幅（ｂａｎｄｗｉｄｔｈ、ＢＷ）に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。従って、“セル”という用語は、時にはノードによるサービスのカバレッジを、時には無線リソースを、時には上記無線リソースを用いた信号が有効な強度で到達できる範囲を意味することに用いることができる。
【００４２】
一方、３ＧＰＰ ＬＴＥ−Ａ標準は無線リソースを管理するためにセル（ｃｅｌｌ）の概念を使用する。無線リソースと関連付く“セル”とは、下りリンクリソース（ＤＬ ｒｅｓｏｕｒｃｅｓ）と上りリンクリソース（ＵＬ ｒｅｓｏｕｒｃｅｓ）との組合せ、即ち、ＤＬ ＣＣとＵＬ ＣＣの組合せと定義される。セルは、ＤＬリソース単独、又はＤＬリソースとＵＬリソースとの組合せで設定する（ｃｏｎｆｉｇｕｒｅ）ことができる。搬送波集約が支援される場合、ＤＬリソース（又は、ＤＬ ＣＣ）の搬送波周波数（ｃａｒｒｉｅｒ ｆｒｅｑｕｅｎｃｙ）とＵＬリソース（又は、ＵＬ ＣＣ）の搬送波周波数（ｃａｒｒｉｅｒ ｆｒｅｑｕｅｎｃｙ）間のリンケージ（ｌｉｎｋａｇｅ）をシステム情報によって示すことができる。例えば、システム情報ブロックタイプ２（Ｓｙｓｔｅｍ Ｉｎｆｏｒｍａｔｉｏｎ Ｂｌｏｃｋ Ｔｙｐｅ ２；ＳＩＢ２）リンケージ（ｌｉｎｋａｇｅ）によってＤＬリソースとＵＬリソースとの組合せを示すことができる。ここで、搬送波周波数とは、各セル或いはＣＣの中心周波数（ｃｅｎｔｅｒ ｆｒｅｑｕｅｎｃｙ）を意味する。以下では、１次周波数（ｐｒｉｍａｒｙ ｆｒｅｑｕｅｎｃｙ）上で動作するセルを１次セル（ｐｒｉｍａｒｙ ｃｅｌｌ；Ｐｃｅｌｌ）或いはＰＣＣと呼び、２次周波数（Ｓｅｃｏｎｄａｒｙ ｆｒｅｑｕｅｎｃｙ）（又は、ＳＣＣ）上で動作するセルを２次セル（ｓｅｃｏｎｄａｒｙ ｃｅｌｌ；Ｓｃｅｌｌ）或いはＳＣＣと呼ぶ。下りリンクにおいてＰｃｅｌｌに対応する搬送波を下りリンク１次ＣＣ（ＤＬ ＰＣＣ）と称し、上りリンクにおいてＰｃｅｌｌに対応する搬送波を上りリンク１次ＣＣ（ＤＬ ＰＣＣ）と称する。Ｓｃｅｌｌとは、ＲＲＣ（Ｒａｄｉｏ Ｒｅｓｏｕｒｃｅ Ｃｏｎｔｒｏｌ）接続樹立（ｃｏｎｎｅｃｔｉｏｎ  ｅｓｔａｂｌｉｓｈｍｅｎｔ）の後に設定可能であり、追加の無線リソースを提供のために利用できるセルを意味する。ＵＥの性能（ｃａｐａｂｉｌｉｔｉｅｓ）によって、ＳｃｅｌｌがＰｃｅｌｌと共に、上記ＵＥのためのサービングセルのセット（ｓｅｔ）を形成することができる。下りリンクにおいてＳｃｅｌｌに対応する搬送波を下りリンク２次ＣＣ（ＤＬ ＳＣＣ）と称し、上りリンクにおいて上記Ｓｃｅｌｌに対応する搬送波を上りリンク２次ＣＣ（ＵＬ ＳＣＣ）と称する。ＲＲＣ＿ＣＯＮＮＥＣＴＥＤ状態であるが、搬送波集成が設定されていないか或いは搬送波集成を支援しないＵＥの場合、Ｐｃｅｌｌだけで設定されたサービングセルがただ一つ存在する。
【００４３】
本発明において、“ＰＤＣＣＨ”は、ＰＤＣＣＨ、(設定された場合、サブフレームにおいて)ＥＰＤＣＣＨ、ＭＴＣ ＰＤＣＣＨ(ＭＰＤＣＣＨ)、Ｒ−ＰＤＣＣＨが設定されており、中止していないリレーノード(ｒｅｌａｙ ｎｏｄｅ、ＲＮ)の場合には、Ｒ−ＰＤＣＣＨに、又は狭帯域モノのインターネット(ＮＢ−ＩｏＴ)については狭帯域ＰＤＣＣＨ(ｎａｒｒｏｗｂａｎｄ ＰＤＣＣＨ、ＮＢＰＤＣＣＨ)を意味する。
【００４４】
本発明において、チャネルをモニタリングするとは、チャネルのデコーディングを試みることを意味する。例えば、ＰＤＣＣＨをモニタリングするとは、ＰＤＣＣＨ(又はＰＤＣＣＨ候補)のデコーディングを試みることを意味する。
【００４５】
本発明において、二重連結動作について“特別のセル(Ｓｐｅｃｉａｌ Ｃｅｌｌ)”という用語は、マスターセルグループ(ｍａｓｔｅｒ ｃｅｌｌ ｇｒｏｕｐ、ＭＣＧ)のＰＣｅｌｌや２次セルグループ(Ｓｅｃｏｎｄａｒｙ ｃｅｌｌ ｇｒｏｕｐ、ＳＣＧ)のＰＣｅｌｌを称し、それ以外の場合、特別のセルはＰＣｅｌｌを称する。ＭＣＧは少なくともＳ１−ＭＭＥを終了するＭｅＮＢに連関するサービングセルのグループであり、ＳＣＧはＵＥにさらなる無線リソースを提供するものの、ＭｅＮＢではないＳｅＮＢに連関したサービングセルのグループである。ＳＣＧは１次ＳＣｅｌｌ(ｐｒｉｍａｒｙ ＳＣｅｌｌ、ＰＳＣｅｌｌ)及び選択的に１つ以上のＳＣｅｌｌで構成される。二重連結では、２つのＭＡＣエンティティーがＵＥに設定されるので、１つはＭＣＧのために、他の１つはＳＣＧのために設定される。ＲＲＣにより各々のＭＡＣエンティティーはＰＵＣＣＨ送信と競争方式のランダム接続(ｃｏｎｔｅｎｔｉｏｎ ｂａｓｅｄ ｒａｎｄｏｍ ａｃｃｅｓｓ)を支援するサービングセルを有するように設定される。この明細書において、ＳＰＣｅｌｌという用語はこのようなセルを意味し、反面ＳＣｅｌｌはそれ以外のサービングセルを意味する。ＳＰＣｅｌｌという用語は、ＭＡＣエンティティーがＭＣＧに連関するか、それともＳＣＧに連関するかによって、ＭＣＧのＰＣｅｌｌ又はＳＣＧのＰＳＣｅｌｌを示す。
【００４６】
本発明において、“Ｃ−ＲＮＴＩ”はセルＲＮＴＩを示し、“ＳＩ−ＲＮＴＩ”はシステム情報ＲＮＴＩを示す。“Ｐ−ＲＮＴＩ”はページングＲＮＴＩを示し、“ＲＡ−ＲＮＴＩ”はランダム接続ＲＮＴＩを示し、“ＳＣ−ＲＮＴＩ”は単一セルＲＮＴＩを示し、“ＳＬ−ＲＮＴＩ”はサイドリンクＲＮＴＩを示し、また“ＳＰＳ Ｃ−ＲＮＴＩ”は準−持続的(Ｓｅｍｉ−ｐｅｒｓｉｓｔｅｎｔ)スケジューリングＣ−ＲＮＴＩを示す。
【００４７】
本発明で使用する用語及び技術のうち、具体的に説明されていない用語及び技術については、３ＧＰＰ ＬＴＥ／ＬＴＥ−Ａ標準文書、例えば、３ＧＰＰ ＴＳ ３６.２１１、３ＧＰＰ ＴＳ ３６.２１２、３ＧＰＰ ＴＳ ３６.２１３、３ＧＰＰ ＴＳ ３６．３００、３ＧＰＰ ＴＳ ３６．３２１、３ＧＰＰ ＴＳ ３６．３２２、３ＧＰＰ ＴＳ ３６．３２３、３ＧＰＰ ＴＳ ３６．３３１及び３ＧＰＰ ＮＲ標準文献、例えば３８．ｘｘｘシリーズを参照できる。
【００４８】
図２はＥ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。Ｅ−ＵＭＴＳはＬＴＥシステムとも呼ばれる。通信ネットワークはＩＭＳ及びパケットデータを通じたＶｏＩＰ(Ｖｏｉｃｅ ｏｖｅｒ ＩＰ)のような様々なサービスを提供するために広く配置される。
【００４９】
図２に示したように、Ｅ−ＵＭＴＳネットワークはＥ−ＵＴＲＡＮ(ｅｖｏｌｖｅｄ ＵＭＴＳ ｔｅｒｒｅｓｔｒｉａｌ ｒａｄｉｏ ａｃｃｅｓｓ ｎｅｔｗｏｒｋ)、ＥＰＣ(ｅｖｏｌｖｅｄ Ｐａｃｋｅｔ ｃｏｒｅ)及び１つ以上のＵＥを含む。Ｅ−ＵＴＲＡＮは１つのセルに位置可能な１つ以上のｅＮＢ(ｅｖｏｌｖｅｄ ＮｏｄｅＢ)２０及び複数のＵＥ１０を含む。一つ以上のＥ―ＵＴＲＡＮ ＭＭＥ（Ｍｏｂｉｌｉｔｙ Ｍａｎａｇｅｍｅｎｔ Ｅｎｔｉｔｙ）／ＳＡＥ(Ｓｙｓｔｅｍ Ａｒｃｈｉｔｅｃｔｕｒｅ Ｅｖｏｌｕｔｉｏｎ）ゲートウェイ３０は、ネットワークの終端に位置し、外部ネットワークに接続することもできる。
【００５０】
本明細書において、「下りリンク（ｄｏｗｎｌｉｎｋ）」は、ｅＮＢ２０からUE１０への通信を称し、「上りリンク（ｕｐｌｉｎｋ）」は、UE１０からｅＮＢ２０への通信を称する。 
【００５１】
図３は、一般的なＥ―ＵＴＲＡＮと一般的なＥＰＣの構造を示すブロック図である。
【００５２】
図３に示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００５３】
ｅＮＢ２０は、一般にＵＥ１０と通信する固定局であって、基地局（ＢＳ）又はアクセスポイント（ａｃｃｅｓｓ ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００５４】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む。）遊休モード（ｉｄｌｅ ｍｏｄｅ）ＵＥ接近性（Ｒｅａｃｈａｂｉｌｉｔｙ）、（遊休モード及び活性モード（ａｃｔｉｖｅ ｍｏｄｅ）のＵＥのための）トラッキング領域リスト管理、ＰＤＮ ＧＷ及びサービングＧＷ選択、ＭＭＥ変化が伴うハンドオーバーのためのＭＭＥ選択、２Ｇ又は３Ｇ ３ＧＰＰ接続ネットワークへのハンドオーバーのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ Ｉｎｔｅｒｃｅｐｔｉｏｎ）、ＵＥ ＩＰアドレス割当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００５５】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ ｎｅｔｗｏｒｋ ｓｔｒｕｃｔｕｒｅ）を有することができる。
【００５６】
図３に示したように、ｅＮＢ２０は、ゲートウェイ３０に対する選択、無線リソース制御（Ｒａｄｉｏ Ｒｅｓｏｕｒｃｅ Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割当て、ｅＮＢ測定の構成及び準備、無線ベアラ制御、無線承認制御（Ｒａｄｉｏ Ａｄｍｉｓｓｉｏｎ Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ Ａｒｃｈｉｔｅｃｔｕｒｅ Ｅｖｏｌｕｔｉｏｎ、ＳＡＥ）ベアラ制御、及び非―接続層（Ｎｏｎ―Ａｃｃｅｓｓ Ｓｔｒａｔｕｍ、ＮＡＳ）シグナリングの暗号化及び完全性保護などの各機能を行うことができる。
【００５７】
ＥＰＣは、移動性管理エンティティ（Ｍｏｂｉｌｉｔｙ Ｍａｎａｇｅｍｅｎｔ Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ Ｄａｔａ Ｎｅｔｗｏｒｋ―Ｇａｔｅｗａｙ、ＰＤＮ―ＧＷ）を含む。ＭＭＥは主にＵＥの移動性を管理する目的で用いられる連結及び可用性に関する情報を有する。Ｓ―ＧＷは、Ｅ―ＵＴＲＡＮを終端点として有するゲートウェイであり、ＰＤＮ―ＧＷは、パケットデータネットワーク（ＰＤＮ）を終端点として有するゲートウェイである。
【００５８】
図４は、３ＧＰＰ無線接続網規格に基づくUEとＥ―ＵＴＲＡＮとの間の無線インターフェースプロトコルの制御平面及びユーザ平面の構造を示す図である。制御平面は、端末（Ｕｓｅｒ Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００５９】
ＬＴＥ／ＬＴＥ−Ａシステムの階層１（即ち、Ｌ１）は物理階層に相当する。第１階層（即ち、階層１又はＬ１）である物理階層は物理チャネル（ｐｈｙｓｉｃａｌ ｃｈａｎｎｅｌ）を用いて上位階層に情報送信サービス（ｉｎｆｏｒｍａｔｉｏｎ ｔｒａｎｓｆｅｒ ｓｅｒｖｉｃｅ）を提供する。物理層は、上位にある媒体接続制御（Ｍｅｄｉｕｍ ａｃｃｅｓｓ Ｃｏｎｔｒｏｌ）層とは送信チャネル（Ｔｒａｎｓｐｏｒｔ Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ Ｆｒｅｑｕｅｎｃｙ ｄｉｖｉｓｉｏｎ Ｍｕｌｔｉｐｌｅ ａｃｃｅｓｓ）方式で変調され、上りリンクでＳＣ―ＦＤＭＡ（Ｓｉｎｇｌｅ Ｃａｒｒｉｅｒ Ｆｒｅｑｕｅｎｃｙ ｄｉｖｉｓｉｏｎ Ｍｕｌｔｉｐｌｅ ａｃｃｅｓｓ）方式で変調される。
【００６０】
ＬＴＥ／ＬＴＥ−Ａシステムの階層２（即ち、Ｌ２）は次のサブ階層に分けられる：媒体接続制御（Ｍｅｄｉｕｍ ａｃｃｅｓｓ Ｃｏｎｔｒｏｌ、ＭＡＣ）、無線リンク制御（Ｒａｄｉｏ Ｌｉｎｋ Ｃｏｎｔｒｏｌ、ＲＬＣ）及びパケットデータ収斂プロトコル（Ｐａｃｋｅｔ Ｄａｔａ Ｃｏｎｖｅｒｇｅｎｃｅ Ｐｒｏｔｏｃｏｌ、ＰＤＣＰ）物理階層に相当する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ Ｄａｔａ Ｃｏｎｖｅｒｇｅｎｃｅ Ｐｒｏｔｏｃｏｌ）層は、帯域幅の狭い無線インターフェースでＩＰバージョン４（ＩＰ ｖｅｒｓｉｏｎ ４、ＩＰｖ４）パケットやＩＰバージョン６（ＩＰｖ６）パケットのようなＩＰ（ｉｎｔｅｒｎｅｔ ｐｒｏｔｏｃｏｌ）パケットを効率的に送信するために不必要な制御情報を減少させるヘッダー圧縮（Ｈｅａｄｅｒ Ｃｏｍｐｒｅｓｓｉｏｎ）機能を行う。
【００６１】
ＬＴＥ／ＬＴＥ−Ａシステムの第３階層(Ｌａｙｅｒ３、Ｌ３)は無線リソース制御(ｒａｄｉｏ ｒｅｓｏｕｒｃｅ ｃｏｎｔｒｏｌ、ＲＲＣ)及び非接続層(ｎｏｎ ａｃｃｅｓｓ ｓｔｒａｔｕｍ、ＮＡＳ)サブ階層を含む。第３階層(即ち、Ｌ３階層)の最下位に位置する無線リソース制御(ｒａｄｉｏ ｒｅｓｏｕｒｃｅ ｃｏｎｔｒｏｌ、ＲＲＣ)階層は制御平面のみで定義される。ＲＲＣ層は、各無線ベアラ（Ｒａｄｉｏ Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、ＵＥのＲＲＣ階層とＥ−ＵＴＲＡＮのＲＲＣ階層はＲＲＣメッセージをやり取る。ＲＲＣ階層の上位に位置するＮＡＳ階層はセクション管理と移動性管理のような機能を行う。
【００６２】
無線ベアラは略(ユーザ)データ無線ベアラ(ｄａｔａ ｒａｄｉｏ ｂｅａｒｅｒ、ＤＲＢ)とシグナリング無線ベアラ(ｓｉｇｎａｌｉｎｇ ｒａｄｉｏ ｂｅａｒｅｒ、ＳＲＢ)に分類される。ＳＲＢはＲＲＣメッセージ及びＮＡＳメッセージの送信のためにのみ使用される無線ベアラ(ｒａｄｉｏ ｂｅａｒｅｒ、ＲＢ)と定義される。
【００６３】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００６４】
Ｅ―ＵＴＲＡＮから端末への送信のための下りリンク送信チャネル（Ｄｏｗｎｌｉｎｋ ｔｒａｎｓｐｏｒｔ Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ Ｃｈａｎｎｅｌ）、及びユーザトラフィック又は各制御メッセージを送信するための下りリンク共有チャネル（Ｓｈａｒｅｄ Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ Ｃｈａｎｎｅｌ）を介して送信することもできる。
【００６５】
端末からネットワークにデータを送信する上りリンク送信チャネルとしては、初期制御メッセージを送信するＲＡＣＨ（Ｒａｎｄｏｍ ａｃｃｅｓｓ Ｃｈａｎｎｅｌ）と、その他にユーザトラフィックや制御メッセージを送信する上りリンクＳＣＨ（Ｓｈａｒｅｄ Ｃｈａｎｎｅｌ）とがある。送信チャネルの上位にあり、送信チャネルにマップされる論理チャネルとしては、ＢＣＣＨ（Ｂｒｏａｄｃａｓｔ Ｃｏｎｔｒｏｌ Ｃｈａｎｎｅｌ）、ＰＣＣＨ（Ｐａｇｉｎｇ Ｃｏｎｔｒｏｌ Ｃｈａｎｎｅｌ）、ＣＣＣＨ（Ｃｏｍｍｏｎ Ｃｏｎｔｒｏｌ Ｃｈａｎｎｅｌ）、ＭＣＣＨ（Ｍｕｌｔｉｃａｓｔ Ｃｏｎｔｒｏｌ Ｃｈａｎｎｅｌ）、及びＭＴＣＨ（Ｍｕｌｔｉｃａｓｔ Ｔｒａｆｆｉｃ Ｃｈａｎｎｅｌ）などがある。
【００６６】
図５は、Ｅ―ＵＭＴＳシステムで使用する物理チャネル構造の一例を示した図である。物理チャネルは、時間軸上にある複数のサブフレームと、周波数軸上にある複数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ Ｄｏｗｎｌｉｎｋ Ｃｏｎｔｒｏｌ Ｃｈａｎｎｅｌ）、即ち、Ｌ１／Ｌ２制御チャネルのために該当のサブフレームの特定シンボル（例えば、１番目のシンボル）の特定サブキャリアを用いることができる。ＰＤＣＣＨはスケジューリングの割り当て及びその他の制御情報を伝達する。図５には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは複数のＯＦＤＭシンボルで構成され、複数のＯＦＤＭシンボルのうち一部のシンボル（例えば、１番目のシンボル）は、Ｌ１／Ｌ２制御情報を送信するために使用することができる。
【００６７】
サブフレームを送信するための時間は送信時間間隔（ｔｒａｎｓｍｉｓｓｉｏｎ ｔｉｍｅ ｉｎｔｅｒｖａｌ；ＴＴＩ）と定義される。時間リソースは、無線フレーム番号（或いは無線フレームインデックスともいう。）、サブフレーム番号（或いは、サブフレーム番号ともいう。）、スロット番号（或いはスロットインデックスともいう。）などによって区分することができる。ＴＴＩとは、データがスケジューリングされ得る間隔を意味する。例えば、現在ＬＴＥ／ＬＴＥ−ＡシステムにおいてＵＬグラント或いはＤＬグラントの送信機会は１ｍｓごとに存在し、１ｍｓより短い時間内にはＵＬ／ＤＬグラント機会が複数回存在しない。従って、レガシーＬＴＥ／ＬＴＥ−ＡシステムにおいてＴＴＩは１ｍｓである。
【００６８】
基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかに対する情報などは、ＰＤＣＣＨに含まれて送信される。
【００６９】
例えば、特定のＰＤＣＣＨが"Ａ"というＲＮＴＩ(Ｒａｄｉｏ Ｎｅｔｗｏｒｋ Ｔｅｍｐｏｒａｒｙ Ｉｄｅｎｔｉｔｙ)にＣＲＣマスキング(ｍａｓｋｉｎｇ)されており、"Ｂ"という無線リソース(例えば、周波数位置)及び"Ｃ"という送信形式情報(例えば、輸送ブロックサイズ、変調方式、コーディング情報など)を用いて送信されるデータに関する情報が特定のサブフレームにより送信されると仮定する。その後、セルにいる１つ以上のＵＥは自分のＲＮＴＩ情報を用いてＰＤＣＣＨをモニタリングする。また、ＲＮＴＩ“Ａ”を有する特定のＵＥは、ＰＤＣＣＨを読み出してＰＤＣＣＨ情報にいるＢとＣにより指示されるＰＤＳＣＨを受信する。本発明において、特定のＲＮＴＩに向けるＰＤＣＣＨは、ＰＤＣＣＨが特定のＲＮＴＩにＣＲＣマスクされることを意味する。端末が特定のＲＮＴＩに向けるＰＤＣＣＨをモニタリングしていると、端末が該特定のＲＮＴＩを使用してＰＤＣＣＨのデコーディングを試みることができる。
【００７０】
図６は端末側における媒体接近制御(ｍｅｄｉｕｍ Ａｃｃｅｓｓ ｃｏｎｔｒｏｌ、ＭＡＣ)構造の概要を示す図である。
【００７１】
ＭＡＣ階層は以下のような機能を支援する：論理チャネルと送信チャネルの間のマッピング；１つ又は互いに異なる論理チャネルからのＭＡＣ ＳＤＵを、送信チャネルを介して物理階層に伝達される送信ブロック(ｔｒａｎｓｐｏｒｔ ｂｌｏｃｋｓ、ＴＢｓ)に多重化；送信チャネルを介して物理階層から伝達される送信ブロック(ｔｒａｎｓｐｏｒｔ ｂｌｏｃｋｓ、ＴＢＳ)を１つ又は互いに異なる論理チャネルのＭＡＣ ＳＤＵに逆多重化；スケジューリング情報報告(例えば、スケジューリング要請、バッファー状態報告)；ＨＡＲＱによるエラー訂正；動的スケジューリングにより端末間の優先順位処理；１つのＭＡＣ個体の論理チャネル間の優先順位処理；論理チャネル優先順位決定(ｌｏｇｉｃａｌ Ｃｈａｎｎｅｌ Ｐｒｉｏｒｉｔｉｚａｔｉｏｎ、ＬＣＰ)；送信フォーマットの選択；及びサイドリンク(ｓｉｄｅｌｉｎｋ、ＳＬ)のための無線リソースの選択。
【００７２】
論理チャネル優先順位決定(ｌｏｇｉｃａｌ ｃｈａｎｎｅｌ ｐｒｉｏｒｉｔｉｚａｔｉｏｎ、ＬＣＰ)の手順は、新しい送信が行われる時に適用される。ＲＲＣは各々の論理チャネルに対してシグナリングにより上りリンクデータのスケジューリングを制御する：より高い優先順位値がより低い優先順位を示すｐｒｉｏｒｉｔｙ、優先順位化ビットレート(ｐｒｉｏｒｉｔｉｚｅｄ ｂｉｔ ｒａｔｅ、ＰＢＲ)を設定するｐｒｉｏｒｉｔｉｓｅｄＢｉｔＲａｔｅ、バケツサイズの持続時間(ｂｕｃｋｅｔ ｓｉｚｅ ｄｕｒａｔｉｏｎ、ＢＳＤ)を設定するｂｕｃｋｅｔＳｉｚｅＤｕｒａｔｉｏｎ。ｅＮＢは論理チャネルパラメータを設定するために使用される情報要素(ｉｎｆｏｒｍａｔｉｏｎ ｅｌｅｍｅｎｔ、ＩＥ)であるＬｏｇｉｃａｌＣｈａｎｎｅｌＣｏｎｆｉｇをＲＲＣシグナリングによりＵＥに提供する。論理チャネルのためのパラメータｂｕｃｋｅｔＳｉｚｅＤｕｒａｔｉｏｎはミリセカンド単位値を有し、値ｍｓ５０は５０ｍｓに該当し、ｍｓ１００は１０ｍｓに該当する。論理チャネルのためのパラメータｐｒｉｏｒｉｔｉｓｅｄＢｉｔＲａｔｅはｋｉｌｏｂｙｔｅｓ／ｓｅｃｏｎｄ単一値を有し、値ｋＢｐｓ０は０ｋＢ／ｓｅｃｏｎｄに該当し、ｋＢｐｓ８は８ｋＢ／ｓｅｃｏｎｄに該当し、ｋＢｐｓ１６は１６ｋＢ／ｓｅｃｏｎｄに該当する。論理チャネルのためのパラメータｐｒｉｏｒｉｔｙは整数値を有する。
【００７３】
ＭＡＣ個体は各論理チャネルｊに対して変数Ｂｊを維持する。Ｂｊは関連論理チャネルが設定される時に０に初期化され、ＴＴＩごとにＰＢＲ＊ＴＴＩ期間だけ増加する。ここで、ＰＢＲは論理チャネルｊの優先順位化ビットレートである。しかし、Ｂｊ値はバケツサイズを超えることができず、Ｂｊ値が論理チャネルｊのバケツサイズより大きいと、Ｂｊ値はバケツサイズに設定される。論理チャネルのバケツサイズはＰＢＲ＊ＢＳＤと同一であり、ここでＰＢＲとＢＳＤは上位階層により設定される。
【００７４】
ＭＡＣ個体は新しい送信が行われる時、以下のようなＬＣＰ手順を行う：
【００７５】
＞ＭＡＣ個体は以下の段階において論理チャネルにリソースを割り当てる：
【００７６】
＞＞段階１：Ｂｊ＞０である全ての論理チャネルに優先順位の降順にリソースが割り当てられる。論理チャネルのＰＢＲが"無限(ｉｎｆｉｎｉｔｙ)"に設定されると、ＭＡＣ個体は低い優先順位の論理チャネルのＰＢＲを満たす前に、論理チャネル上に送信される全てのデータにリソースを割り当てる；
【００７７】
＞＞段階２：ＭＡＣ個体は、段階１で論理チャネルｊにサービングされたＭＡＣ ＳＤＵの全体サイズだけＢｊを減少させる(Ｂｊ値は負数であることができる)；
【００７８】
＞＞段階３：リソースが残っていると、論理チャネルのためにデータ又はＵＬグラントのどちらか早い方が消尽するまで(Ｂｊの値に関係なく)全ての論理チャネルに正確に優先順位の降順にリソースを割り当てる。同じ優先順位の論理チャネルは、同じようにサービングされるべきである。
【００７９】
＞ＵＥはスケジューリング手順において以下の規則に従う：
【００８０】
＞＞ＵＥは、全てのＳＤＵ(又は部分的に送信されるＳＤＵや再送信されるＲＬＣ ＰＤＵ)が関連ＭＡＣ個体の残りのリソースに収まると、ＲＬＣ ＳＤＵ(又は部分的に送信されるＳＤＵや再送信されるＲＬＣ ＰＤＵ)を分割してはならない；
【００８１】
＞＞ＵＥが論理チャネルのＲＬＣ ＳＤＵを分割すると、できる限り関連ＭＡＣ個体のグラントを満たすようにセグメントのサイズを最大化する；
【００８２】
＞＞ＵＥはデータ送信を最大化する必要がある；
【００８３】
＞＞ＭＡＣ個体が送信可能なデータを有しながら４バイト以上のＵＬグラントサイズが与えられる場合、ＭＡＣ個体は、(ＵＬグラントサイズが７バイトより小さくＡＭＤ ＰＤＵセグメントを送信する必要がある場合でなければ)パディングＢＳＲ及び／又はパディングのみを送信してはならない。
【００８４】
ＭＡＣ個体は中断された無線ベアラーに該当する論理チャネルに対してデータを送信しない(無線ベアラーがいつ中断されたとみなされるかについての条件が３ＧＰＰ ３６．３３１に定義されている)。
【００８５】
ＬＣＰ手順のために、ＭＡＣ個体は以下の相対的な優先順位を降順に考慮する：
【００８６】
−Ｃ−ＲＮＴＩのためのＭＡＣ制御要素又はＵＬ−ＣＣＣＨからのデータ；
【００８７】
−データ量のためのＭＡＣ制御要素と電力ヘッドルーム報告(ｐｏｗｅｒ ｈｅａｄｒｏｏｍ ｒｅｐｏｒｔ、ＤＰＲ)；
【００８８】
−ＳＰＳ情報のためのＭＡＣ制御要素；
【００８９】
−パディングのために含まれるＢＳＲを除いた、ＢＳＲのためのＭＡＣ制御要素；
【００９０】
−ＰＨＲ、拡張ＰＨＲ又は二重連結ＰＨＲのためのＭＡＣ制御要素；
【００９１】
−パディングのために含まれるサイドリンクＢＳＲを除いた、サイドリンクＢＳＲのためのＭＡＣ制御要素；
【００９２】
−ＵＬ−ＣＣＣＨからのデータを除いた、任意の論理チャネルからのデータ；
【００９３】
−望ましいビットレート質問(Ｒｅｃｏｍｍｅｎｄｅｄ ｂｉｔ ｒａｔｅ ｑｕｅｒｙ)のためのＭＡＣ制御要素；
【００９４】
−パディングのために含まれるＢＳＲのためのＭＡＣ制御要素；
【００９５】
−パディングのために含まれるサイドリンクＢＳＲのためのＭＡＣ 制御要素。
【００９６】
ＭＡＣ個体が１つのＴＴＩで多数のＭＡＣ ＰＤＵを送信するように要請されると、段階１乃至段階３に関連する規則が各々のグラントに独立して適用されるか、又は各々のグラントの容量の合計に適用されることができる。またグラント処理順序はＵＥの具現に従う。ＭＡＣ個体が１つのＴＴＩで多数のＭＡＣ ＰＤＵを送信するように要請された場合、どのＭＡＣ ＰＤＵにＭＡＣ制御要素を含ませるかはＵＥの具現により決定される。ＵＥが１つのＴＴＩで２つのＭＡＣ個体によりＭＡＣ ＰＤＵを生成するように要請された場合、グラント処理順序はＵＥの具現による。
【００９７】
図７は現在のＬＴＥ／ＬＴＥ−Ａシステムにおいて論理チャネルの優先順位(ｌｏｇｉｃａｌ ｃｈａｎｎｅｌ ｐｒｉｏｒｉｔｉｚａｔｉｏｎ、ＬＣＰ)の決定手順によって論理チャネルへの上りリンクリソースの割り当てを示す。
【００９８】
図７において、"Ｐ"は論理チャネル(ｌｏｇｉｃａｌ ｃｈａｎｎｅｌ、ＬｏＣＨ)に対する優先順位値を示す。図７を参照すると、例えば、ＬｏＣＨ１に対する優先順位値、ＬｏＣＨ２に対する優先順位値及びＬｏＣＨ３に対する優先順位値は各々１、３及び５である。ＬｏＣＨ１、ＬｏＣＨ２及びＬｏＣＨ３は優先順位ビットレート(ＰＢＲ)１、優先順位ビットレート(ＰＢＲ)２及び優先順位ビットレート(ＰＢＲ)３によって優先順位の降順にＵＬグラントのリソースが各々割り当てられる。言い換えれば、最低の優先順位値のＬｏＣＨ１はまずＰＢＲ１の量だけＵＬグラントのリソースに割り当てられ、２番目に低い優先順位値のＬｏＣＨ２はＰＢＲ２の量だけＵＬグラントのリソースに割り当てられる。次いで、最高の優先順位値のＬｏＣＨ３がＰＢＲ３の量だけＵＬグラントのリソースに割り当てられる。その後、ＰＢＲ１、ＰＢＲ２及びＰＢＲ３の量に該当するリソースを除いたＵＬグラントの残りのリソースが優先順位の降順にＬｏＣＨ１、ＬｏＣＨ２及びＬｏＣＨ３に割り当てられる。
【００９９】
近い未来に完全な移動性及び連結性を有する社会が期待されているが、これは連結性とトラフィックボリューム及びさらに広い使用シナリオの範囲における莫大な成長により特徴付けられる。一般的な趨勢はデータトラフィックの爆発的な増加、連結された装置の大幅増加及び新しいサービスの持続的な出表などを含む。市場の要求事項以外にも、モバイル通信社会自体が生態系の持続可能な開発を必要とし、これはスペクトル効率、エネルギー効率、動作効率及び費用効率などのシステム効率を一層改善する必要性を発生させる。市場及びモバイル通信社会からの増加する要求事項を満たすために、近い未来に次世代の接続技術が出現すると予想される。
【０１００】
３ＧＰＰ ＳＡ１研究課題であるＮｅｗ Ｓｅｒｖｉｃｅｓ ａｎｄ Ｍａｒｋｅｔｓ Ｔｅｃｈｎｏｌｏｇｙ Ｅｎａｂｌｅｒｓ (ＳＭＡＲＴＥＲ)とＳＡ２研究課題であるＡｒｃｈｉｔｅｃｔｕｒｅ ｆｏｒ ｔｈｅ ｎｅｗ ＲＡＴ (ＮＲ) Ｓｙｓｔｅｍ (５Ｇ ｎｅｗ ＲＡＴと呼ぶ)だけではなく、Ｒｅｃｏｍｍｅｎｄａｔｉｏｎ ＩＴＵ−Ｒ Ｍ.２０８３ “Ｆｒａｍｅｗｏｒｋ ａｎｄ ｏｖｅｒａｌｌ ｏｂｊｅｃｔｉｖｅｓ ｏｆ ｔｈｅ ｆｕｔｕｒｅ ｄｅｖｅｌｏｐｍｅｎｔ ｏｆ ＩＭＴ ｆｏｒ ２０２０ ａｎｄ ｂｅｙｏｎｄ"でのように、ＩＴＵと３ＧＰＰで新しい無線システムのための要求事項と標準を発展させるための作業が開始された。消費者の緊急要求と、ＩＴＵ−Ｒ ＩＭＴ−２０２０プロセスにより提示されるより長期的な要求事項を適時に満たすＮＲシステムを成功的に標準化するために必要な技術構成要素を確認して開発する必要がある。これを達成するために、"新しい無線接続技術"において無線インターフェース及び無線ネットワークアーキテクチャーの進歩を考慮する必要がある。
【０１０１】
既存のＬＴＥ／ＬＴＥ−Ａにおいて、送信時間区間(ｔｒａｎｓｍｉｓｓｉｏｎ ｔｉｍｅ ｉｎｔｅｒｖａｌ、ＴＴＩ)はＭＡＣ階層でＭＡＣがＭＡＣ ＰＤＵをＰＨＹに伝達する基本時間単位として使用され、ＴＴＩは１ｍｓに固定される。言い換えれば、ＨＡＲＱ個体はＴＴＩ当たりＭＡＣ ＰＤＵをＰＨＹに１回伝達する。
【０１０２】
新しい無線接近技術のために多数のニューマロロジー、即ち３０ｋＨｚ、６０ｋＨｚなどの多数の副搬送波間隔が研究されている。スロットとミニスロットのような多数の時間単位が多数の副搬送波間隔で論議されており、ここで、ミニスロットはできる限り最小スケジューリング単位であって、スロットやサブフレームより小さい。スロットの概念は既存のＬＴＥ／ＬＴＥ−Ａでも存在したが、スロットが７つのＯＦＤＭシンボルに該当し、ＭＡＣ階層の動作に対して透過的な(ｔｒａｎｓｐａｒｅｎｔ)０．５ｍｓに固定されている。しかし、ＮＲではスロットやミニスロットは副搬送波間隔によって異なる時間長さを有する。例えば、スロット長さ(Ｓｌｏｔ ｄｕｒａｔｉｏｎ)は、３０ｋＨｚの副搬送波間隔では０．５ｍｓである反面、５０ｋＨｚの副搬送波間隔では０．２５ｍｓである。また、ＭＡＣ階層がスロット及び／又はミニスロットに基づいて動作するように要求される。即ち、ＨＡＲＱ個体がＭＡＣ ＰＤＵをＰＨＹにスロット当たり或いはミニスロット当たり１回伝達する。スケジューリングをサブフレーム単位にするか、スロット単位にするか又はミニスロット単位にするかと、どの副搬送波間隔を使用するかはネットワークの決定によるので、ＭＡＣ階層の動作に使用される時間単位は動的に変更されることができる。１ｍｓのＴＴＩと１ｍｓより短いＴＴＩ長さを参照して本発明を説明するが、本発明は以下の説明と同一又は類似する方式により１ｍｓより長いＴＴＩ長さにも適用できる。
【０１０３】
７つのＯＦＤＭシンボルと２つのＯＦＤＭシンボルを有する短いＴＴＩを各々スロット及びミニスロットとして導入し、１つのＯＦＤＭシンボルを有する短いＴＴＩはミニスロット用として論議されている。従って、ＭＡＣは多数のＴＴＩに基づいて動作する必要がある。
【０１０４】
以下の説明において、ニューマロロジーは副搬送波間隔及び／又はＴＴＩ長さ(ＴＴＩ ｄｕｒａｔｉｏｎ)をいう。
【０１０５】
多数のニューマロロジーとＴＴＩ長さを支援するために、論理チャネルについてニューマロロジー／ＴＴＩ長さを設定する必要がある。
【０１０６】
ニューマロロジーはデータ送信の要求事項／特徴、即ち、遅延に関連する。例えば、短いニューマロロジーは低い遅延が求められる無線ベアラー(ＲＢ)に設定され、長いニューマロロジーは遅延に敏感でない無線ベアラーに設定される。データ送信の要求事項／特徴が動的で変化しないと、ＵＥ／ネットワークがＲＢの設定時に１回ニューマロロジーを設定してＲＢの期間(ｌｉｆｅｔｉｍｅ)の間に上記設定されたＲＢを使用することでも十分である。これはＲＢに連関するニューマロロジーはＲＢの解除とＲＢの追加によってのみ変更されることを意味する。例えば、一応ニューマロロジーがＲＢに連関すると、このニューマロロジーはＲＢが解除されるまで変更されない。
【０１０７】
一方、多数のニューマロロジー／ＴＴＩ長さが論理チャネルに設定される必要がある場合は、１つの簡単な方法は、論理チャネルにできる限り全てのニューマロロジー／ＴＴＩ長さを指示することである。シグナリングのオーバーヘッドを減少するために、論理チャネルについて最大のニューマロロジー／ＴＴＩ長さを指示することが提案される。これは、最大のニューマロロジー／ＴＴＩ長さより小さい全てのニューマロロジー／ＴＴＩ長さが論理チャネルに提供されることを意味する。しかし、この場合、特定の論理チャネルに一部の特定のニューマロロジー／ＴＴＩ長さを限定することができない。例えば、ネットワークは、ＵＲＬＬＣサービスのために論理チャネルには小さいＴＴＩ長さを許容する反面、ｅＭＢＢサービスのために論理チャネルには上記ＴＴＩ長さを許容したくない場合がある。従って論理チャネルには使用できない特定のニューマロロジーを除く新しいメカニズムが必要である。よって論理チャネルには使用できない特定のニューマロロジーを除く新しいメカニズムが必要である。
【０１０８】
従って、本発明は論理チャネルにニューマロロジーを設定する方法を提案する。本発明は互いに異なるニューマロロジーを支援するＬＣＰのための新しい方法を提案する。
【０１０９】
ＮＲシステムのための３ＧＰＰ会議で、ＬＣＰは１つ以上のニューマロロジー／ＴＴＩ長さに論理チャネルをマッピングすることを考慮すると合議した。その意図は、特定のＴＴＩ長さにマッピングされる論理チャネルのデータを含むＭＡＣ ＰＤＵの送信のためにのみ特定のＴＴＩ長さに連関する上りリンクグラントが使用されるようにすることである。ＭＡＣは新しく送信されるＭＡＣ ＰＤＵを生成するためにＬＣＰを行うので、上記合議は、ＭＡＣ ＰＤＵが上りリンクグラントに連関するＴＴＩ長さにマッピングされる論理チャネルのデータのみを含むべきと理解できる。
【０１１０】
一方、ＨＡＲＱ再送信は互いに異なるニューマロロジー及び／又はＴＴＩ長さに亘って行われる。そうすると、再送信がどのニューマロロジー／ＴＴＩ長さでも行われるか又は再送信がＭＡＣ ＰＤＵに含まれる全ての論理チャネルに共通してマッピングされるニューマロロジー／ＴＴＩ長さでのみ行われるかを決定する必要がある。論理チャネルを１つ以上のニューマロロジー／ＴＴＩ長さにマッピングするという元来の意図を勘案すると、新しい送信についてのみマッピングを制限し、再送信はどのニューマロロジー／ＴＴＩ長さでも許容することは妥当ではない。
【０１１１】
図８は多数のニューマロロジーを有する論理チャネルに対する論理チャネル優先順位の決定方式を示す。今後、図８に示した方式を方式１(Ａｐｐｒｏａｃｈ １)という。
【０１１２】
方式１において、上りリンクグラントは１つの特定のニューマロロジー／ＴＴＩ長さに連関する。新しい送信のために、上りリンクグラントのニューマロロジー／ＴＴＩ長さにマッピングされる論理チャネルを含めてＭＡＣ ＰＤＵを生成する。再送信のために、上りリンクグラントはＭＡＣ ＰＤＵに含まれた全ての論理チャネルに共通にマッピングされるニューマロロジー／ＴＴＩ長さに連関する必要がある。図８において、ＵＥがＴＴＩ１を有するＵＬグラントを受信すると、ＬＣ１、ＬＣ２及びＬＣ３がいずれもＴＴＩ１に連関するので、ＵＥはＬＣ１、ＬＣ２及びＬＣ３のデータをＭＡＣ ＰＤＵに含める。
【０１１３】
図９は本発明による多数のニューマロロジーを有する論理チャネルに対する他の論理チャネル優先順位の決定方式を示す。今後、図９に示した接近方式を方式２(Ａｐｐｒｏａｃｈ ２)という。
【０１１４】
方式２において、ＵＥはニューマロロジーセットを指示する指示子を有する上りリンクグラントを受信する。ＵＥが上りリンクグラントを使用して、送信するＭＡＣ ＰＤＵを生成する時、ＵＥはニューマロロジーセットに含まれた全てのニューマロロジーにマッピングされる１つ以上の論理チャネルのデータを含めてＭＡＣ ＰＤＵを生成する。言い換えれば、所有している全てのニューマロロジーが上りリンクグラントに連関するニューマロロジーセットに含まれる論理チャネルにのみＬＣＰを行う。
【０１１５】
方式２において、上りリンクグラントは１つの特定のニューマロロジー／ＴＴＩ長さに連関するが、さらにニューマロロジー／ＴＴＩ長さセットを指示する。新しい送信のために、上りリンクグラントのニューマロロジー／ＴＴＩ長さセットにマッピングされる論理チャネルを含めてＭＡＣ ＰＤＵが生成される。図９において、ＵＥはＴＴＩ１／２にマッピングされるＬＣのためのＴＴＩ１を有するＵＬグラントを受信し、ＵＬグラントが指示するニューマロロジーセット(ＴＴＩ１、ＴＴＩ２)にＬＣ１とＬＣ３のニューマロロジーが含まれるので、今後ＬＣ１とＬＣ３のデータをＭＡＣ ＰＤＵに含む。ＬＣ２のニューマロロジーはＴＴＩ１とＴＴＩ３であり、ＴＴＩ３はＵＬグラントが指示するニューマロロジーセット(ＴＴＩ１、ＴＴＩ２)に属する。従って、ＵＥはＬＣ２のデータをＭＡＣ ＰＤＵに含めない。
【０１１６】
再送信のために、上りリンクグラントはＭＡＣ ＰＤＵに含まれる全ての論理チャネルに共通にマッピングされるニューマロロジー／ＴＴＩ長さに連関する必要がある。図９において、ＬＣ１とＬＣ２が共通にＴＴＩ１とＴＴＩ２にマッピングされるので、再送信のための上りリンクグラントは再送信のためにＴＴＩ１とＴＴＩ２を指示することができる。
【０１１７】
再送信のために、方式１と方式２はいずれも、ＭＡＣ ＰＤＵに含まれる全ての論理チャネルに共通にマッピングされるニューマロロジーに連関する上りリンクグラントを提供することがネットワークによる。これはＵＥはＭＡＣ ＰＤＵに含まれる全ての論理チャネルに共通にマッピングされるニューマロロジーに連関する上りリンクグラントのみを使用すべきであることを意味する。ＵＥがＭＡＣ ＰＤＵに含まれる論理チャネルのうちの１つにマッピングされないニューマロロジー／ＴＴＩ長さに連関する上りリンクグラントを受信すると、ＵＥは上りリンクグラントを使用してはいけない。即ち、ＵＥは上りリンクグラントをエラーと判断して無視する。方式２の長所は、再送信のための上りリンクグラントを提供するにおいて、より多い柔軟性を許容することにある。図８及び図９において、方式１では再送信のためにＴＴＩ１を有する上りリンクグラントを提供するしかないが、方式２では再送信のためにＴＴＩ２を有する上りリンクグラントを許容する。方式２について、上りリンクグラントは少なくとも新しい送信のためにはニューマロロジー／ＴＴＩ長さセットを指示する必要があり、これは上りリンクグラントの設計に影響を及ぼす。しかしＮＲシステムではとにかくニューマロロジー／ＴＴＩ長さを考慮して新しい上りリンクグラントを設計する必要があるので、これは大きい問題にならない。
【０１１８】
以下、方式２に該当する本発明によるデータ送信方法についてより詳しく説明する。
【０１１９】
本発明によるＵＥはネットワークからニューマロロジーセット設定情報を受信する。ニューマロロジーセット設定情報はニューマロロジーセット識別子、即ち、ＮｕｍＳｅｔＩＤ及び／又はＮｕｍＳｅｔＩＤにより識別されるニューマロロジーセットに含まれる１つ以上のニューマロロジーを含む。
【０１２０】
ネットワークにより１つ以上の論理チャネルがＵＥに設定される。ここで、各々の論理チャネルは１つ以上のニューマロロジーにマッピングされる。このために、ＵＥは論理チャネル設定情報を受信する。論理チャネル設定情報に基づいてＵＥに１つ以上の論理チャネルが設定される。この論理チャネル設定情報は論理チャネル識別子(ｌｏｇｉｃａｌ ｃｈａｎｎｅｌ ｉｄｅｎｔｉｆｉｅｒ、ＬＣＨＩＤ)及び／又はＬＣＨＩＤにより識別される論理チャネルに連関するニューマロロジーセットを指示するＮｕｍＳｅｔＩＤを含む。ＮｕｍＳｅｔＩＤはＵＥに新しい送信に使用されるニューマロロジー及び／又はＵＥに設定された論理チャネルのデータの新しい送信及び／又は再送信に使用されるニューマロロジーを知らせるために使用される。
【０１２１】
１つ以上の論理チャネルが設定されたＵＥは上りリンクグラントを受信する。ＵＬグラントは上りリンクグラントに連関するニューマロロジーセットを指示するＮｕｍＳｅｔＩＤを含む。上りリンクグラントのニューマロロジーセットに含まれる１つ以上のニューマロロジーのうち、１つのニューマロロジー(ＴｒａｎｓＮｕｍ)がＭＡＣ ＰＤＵの送信に用いられる。例えば、１つのニューマロロジー(ＴｒａｎｓＮｕｍ)はＭＡＣ ＰＤＵのサイズ及び／又はＵＥにより生成されたＭＡＣ ＰＤＵの変調とコーディングを決定するために使用される。ＴｒａｎｓＮｕｍはニューマロロジーセットに加えて上りリンクグラントに含まれることができる。ＮｕｍＳｅｔＩＤは新しい送信のための上りリンクグラントに含まれることができる。ＮｕｍＳｅｔＩＤは再送信のための上りリンクグラントに含まれることもでき、含まれないこともできる。
【０１２２】
ＵＥが新しい送信のためにＮｕｍＳｅｔＩＤ及び／又はＴｒａｎｓＮｕｍを含む上りリンクグラントを受信すると、ＵＥは以下のように上りリンクグラントを用いて、送信するＭＡＣ ＰＤＵを生成する。
【０１２３】
ＵＥは上りリンクに含まれたＮｕｍＳｅｔＩＤが指示するニューマロロジーセットに連関する論理チャネルにＬＣＰ手順を行う。言い換えれば、ＵＥはニューマロロジーセットに連関する論理チャネルのデータを含めてＭＡＣ ＰＤＵを生成する。ＵＥはニューマロロジーセットにマッピングされない論理チャネルのデータはＭＡＣ ＰＤＵに含めない。
【０１２４】
ＵＥはＭＡＣ ＰＤＵの生成後、生成されたＭＡＣ ＰＤＵをＨＡＲＱバッファーに貯蔵し、上りリンクグラントに含まれたＴｒａｎｓＮｕｍを用いて上記ＭＡＣ ＰＤＵの新しい送信を行う。
【０１２５】
新しい送信を行った後、ＵＥは再送信のためのＴｒａｎｓＮｕｍ(及び／又はＮｕｍＳｅｔＩＤ)を含む上りリンクグラントを受信する。ＵＥがＴｒａｎｓＮｕｍを含む再送信のための上りリンクグラントを受信する場合、ＵＥは、
【０１２６】
＞ＴｒａｎｓＮｕｍがＭＡＣ ＰＤＵの新しい送信のための上りリンクグラントに含まれたニューマロロジーセットに属するニューマロロジーのうちの１つであるか、又はＴｒａｎｓＮｕｍがＭＡＣ ＰＤＵの再送信のための上りリンクグラントに含まれたニューマロロジーセットに属するニューマロロジーのうちの１つであると、上りリンクグラントを使用してＨＡＲＱバッファーに貯蔵されたＭＡＣ ＰＤＵの再送信を行う。また、
【０１２７】
＞ＴｒａｎｓＮｕｍがＭＡＣ ＰＤＵの新しい送信のための上りリンクグラントに含まれたニューマロロジーセットに属するニューマロロジーのいずれでもないか、又はＴｒａｎｓＮｕｍがＭＡＣ ＰＤＵの再送信のための上りリンクグラントに含まれたニューマロロジーセットに属するニューマロロジーのいずれでもない場合、上りリンクグラントを使用したＭＡＣ ＰＤＵの再送信を行わない。即ち、再送信のための上りリンクグラントを無視する。
【０１２８】
以下では、本発明をより明確に理解するために、本発明による方法の一例について説明する。
【０１２９】
＞段階０．ネットワークはＵＥにＮｕｍＳｅｔ１＝[Ｎｕｍ１、Ｎｕｍ２]であり、ＮｕｍＳｅｔ２＝[Ｎｕｍ１、Ｎｕｍ３]である２つのニューマロロジーセットを設定する。
【０１３０】
＞段階１．ネットワークは以下のような情報を含む論理チャネル設定情報を送信してＵＥに３つの論理チャネルを設定する：論理チャネル１＝ＬＣＩＤ１、ＮｕｍＳｅｔ１；論理チャネル２＝ＬＣＩＤ２、ＮｕｍＳｅｔ２；論理チャネル３＝ＬＣＩＤ３、ＮｕｍＳｅｔ１。
【０１３１】
＞段階２．ＵＥは上記設定情報が指示する通りに３つの論理チャネルを設定する。
【０１３２】
＞段階３．ネットワークはＮｕｍＳｅｔＩＤ＝ＮｕｍＳｅｔ１とＴｒａｎｓＮｕｍ＝Ｎｕｍ１を含む新しい送信のための上りリンクグラントをＵＥに送信する。
【０１３３】
＞段階４．ＵＥが送信するＭＡＣ ＰＤＵを上りリンクグラントにより生成する時、論理チャネル１と論理チャネル３はＮｕｍＳｅｔ１に連関するので、ＵＥは論理チャネル１と論理チャネル３のデータを含む。論理チャネル２はＮｕｍＳｅｔ１に連関しないので、ＵＥは論理チャネル２のデータは含まない。
【０１３４】
＞段階５．ＵＥは生成されたＭＡＣ ＰＤＵをＨＡＲＱバッファーに貯蔵し、上りリンクグラントが指示するＮｕｍ１に基づいて上記ＭＡＣ ＰＤＵの新しい送信を行う。
【０１３５】
＞段階６．ネットワークがＴｒａｎｓＮｕｍ＝Ｎｕｍ２を含む、ＭＡＣ ＰＤＵの再送信のための上りリンクグラントを送信すると、段階３でＮｕｍ２が新しい送信のための上りリンクグラントにより指示されるＮｕｍＳｅｔ１に含まれているので、ＵＥは上りリンクグラントを有効な上りリンクグラントと見なして、Ｎｕｍ２に基づいてＭＡＣ ＰＤＵの再送信を行う。ネットワークがＴｒａｎｓＮｕｍ＝Ｎｕｍ３を含む、ＭＡＣ ＰＤＵの再送信のための上りリンクグラントを送信すると、段階３でＮｕｍ３が新しい送信のための上りリンクグラントにより指示されるＮｕｍＳｅｔ１に含まれていないので、ＵＥはこの上りリンクグラントを有効でない上りリンクグラントと見なしてＭＡＣ ＰＤＵの再送信を行わない。
【０１３６】
上記例示では、段階０でニューマロロジーセットが論理チャネル設定情報からの別途のニューマロロジーセット情報を用いて設定されたが、段階０のニューマロロジーセットは段階１の論理チャネル設定情報を用いて設定されることができる。
【０１３７】
本発明において、例えば、ニューマロロジーセット設定情報はＵＥ又はＵＥの論理チャネルのためのニューマロロジー／ＴＴＩ長さの最小値とニューマロロジー／ＴＴＩ長さの最大値を含む。ネットワークはニューマロロジー／ＴＴＩ長さの最大値及び最小値を含むニューマロロジーセット設定情報又は論理セット設定情報を使用して１つ以上のニューマロロジーセットを設定する。他の例としては、ネットワークは論理チャネルのための論理チャネル設定情報をＵＥに設定し、ＵＥは論理チャネルのための論理チャネル設定情報を受信する。論理チャネル設定情報は論理チャネルのためのニューマロロジーセット設定情報を含むことができる。論理チャネルのためのニューマロロジーセット設定情報は、論理チャネルのためのニューマロロジー／ＴＴＩ長さの最大値にさらに論理チャネルのためのニューマロロジー／ＴＴＩ長さの最小値を含むことができる。
【０１３８】
ネットワークはＵＥに論理チャネルや無線ベアラー設定情報を送信する。この設定情報は論理チャネル識別子、即ちＬＣＩＤ、又は無線ベアラー識別子、即ちＲＢＩＤ、ＬＣＩＤにより識別される論理チャネルに連関するニューマロロジー／ＴＴＩ長さの最小値、即ちＭＩＮ_ＴＴＩ、又はＬＣＩＤにより識別される論理チャネルに連関するニューマロロジー／ＴＴＩ長さの最大値、即ちＭＡＸ_ＴＴＩを含む。
【０１３９】
ネットワークは多数の論理チャネルや多数の無線ベアラーのための多数の設定情報を送信できる。各々の論理チャネルや無線ベアラーについて、ニューマロロジー／ＴＴＩ長さの最小値及び／又は最大値は異なることができる。ネットワークは上りリンクグラントに連関するニューマロロジー／ＴＴＩ長さを指示する指示子を有する上りリンクグラントを提供する。
【０１４０】
ＵＥが論理チャネル設定情報を受信すると、ＵＥはＭＡＣ ＰＤＵを生成するためにＬＣＰ手順を行う時に以下の規則に従う。ニューマロロジー／ＴＴＩ長さの最小値からニューマロロジー／ＴＴＩ長さの最大値までの範囲内におけるニューマロロジー／ＴＴＩ長さを有する上りリンクリソースを論理チャネルや無線ベアラーのデータ送信に使用できる。ニューマロロジー／ＴＴＩ長さの最小値より小さいニューマロロジー／ＴＴＩ長さを有する上りリンクリソースは、論理チャネルや無線ベアラーのデータ送信に使用できない。ニューマロロジー／ＴＴＩ長さの最大値より大きいニューマロロジー／ＴＴＩ長さを有する上りリンクリソースは、論理チャネルや無線ベアラーのデータ送信に使用できない。
【０１４１】
ＵＥが上りリンクグラントを受信して送信するＭＡＣ ＰＤＵを上りリンクグラントにより生成する時、上りリンクグラントに連関するニューマロロジー／ＴＴＩ長さが論理チャネルの[ＭＩＮ_ＴＴＩ、ＭＡＸ_ＴＴＩ]範囲内であると、論理チャネルのデータを含む。言い換えれば、ＵＥが上りリンクグラントを受信して送信するＭＡＣ ＰＤＵを上りリンクグラントにより生成する時、ＭＩＮ_ＴＴＩ≦上りリンクグラントに連関するニューマロロジー／ＴＴＩ長さ≦ＭＡＸ_ＴＴＩであるか、ＭＩＮ_ＴＴＩ＜上りリンクグラントに連関するニューマロロジー／ＴＴＩ長さ≦ＭＡＸ_ＴＴＩであるか、ＭＩＮ_ＴＴＩ≦上りリンクグラントに連関するニューマロロジー／ＴＴＩ長さ＜ＭＡＸ_ＴＴＩであるか、又はＭＩＮ_ＴＴＩ＜上りリンクグラントに連関するニューマロロジー／ＴＴＩ長さ＜ＭＡＸ_ＴＴＩであると、ＵＥは論理チャネルのデータを含む。
【０１４２】
ＵＥが上りリンクグラントを受信して送信するＭＡＣ ＰＤＵを上りリンクグラントにより生成する時、上りリンクグラントに連関するニューマロロジー／ＴＴＩ長さが論理チャネルの[ＭＩＮ_ＴＴＩ、ＭＡＸ_ＴＴＩ]の範囲内ではないと、論理チャネルのデータを含まない。言い換えれば、ＵＥが上りリンクグラントを受信して送信するＭＡＣ ＰＤＵを上りリンクグラントにより生成する時、上りリンクグラントに連関するニューマロロジー／ＴＴＩ長さ≦ＭＩＮ_ＴＴＩであるか、上りリンクグラントに連関するニューマロロジー／ＴＴＩ長さ＜ＭＩＮ_ＴＴＩであるか、ＭＡＸ_ＴＴＩ≦上りリンクグラントに連関するニューマロロジー／ＴＴＩであるか、又はＭＡＸ_ＴＴＩ＜上りリンクグラントに連関するニューマロロジー／ＴＴＩ長さであると、ＵＥは論理チャネルのデータを含まない。
【０１４３】
代案として、２つの値、即ち１つはニューマロロジー／ＴＴＩ長さ範囲の最小値であり、他の１つはニューマロロジー／ＴＴＩ長さ範囲の最大値を含むニューマロロジーセット(例えば、ＴＴＩセット)があり得る。例えば、ＴＴＩセット１＝[ＭＩＮ_ＴＴＩ１、ＭＡＸ_ＴＴＩ１]、ＴＴＩセット２＝[ＭＩＮ_ＴＴＩ２、ＭＡＸ_ＴＴＩ２]、ＴＴＩセット３＝[ＭＩＮ_ＴＴＩ３、ＭＡＸ_ＴＴＩ３]など。各セットの範囲は排他的ではない。即ち、各セットの範囲は重なることができる。各セットはニューマロロジーセット識別子(即ち、ＮｕｍＳｅｔＩＤ)やＴＴＩセット識別子(即ち、ＴＳＩＤ)により識別される。これらのセットは、ネットワークがＬ２／Ｌ３シグナリングによりＵＥに設定するか又は特定の標準文書に予め定義されている。ネットワークが論理チャネルを設定する時、ネットワークはＬＣＩＤとＴＳＩＤを含む設定情報を送信する。ここで、ＴＳＩＤにより識別されるＴＴＩセットはＬＣＩＤにより識別される論理チャネルに連関する。
【０１４４】
以下、本発明によるニューマロロジーセット(設定)情報を使用する一例について説明する。
【０１４５】
＞段階１．ネットワークは設定情報を送信してＵＥに２つの論理チャネル(ＬＣ１とＬＣ２)を設定する。上記設定情報は、論理チャネル＝ＬＣＩＤ１、ＭＩＮ_ＴＴＩ＝Ｘ１、ＭＡＸ_ＴＴＩ＝Ｙ１を指示する情報と、論理チャネル＝ＬＣＩＤ２、ＭＩＮ_ＴＴＩ＝Ｘ２、ＭＡＸ_ＴＴＩ＝Ｙ２を指示する情報を含み、ここで、Ｘ１＜Ｘ２＜Ｙ１＜Ｙ２である。
【０１４６】
＞段階２．ＵＥは上記設定情報の指示の通り２つの論理チャネル(ＬＣ１及びＬＣ２)を設定する。
【０１４７】
＞段階３．ネットワークはＴＴＩ Ｋに連関する上りリンクグラントをＵＥに送信する。
【０１４８】
＞段階４．ＵＥが段階３でネットワークが送信した上りリンクグラントを受信すると、ＵＥは上りリンクグラントを用いて、送信するＭＡＣ ＰＤＵを生成する。ＵＥが上りリンクグラントを用いて送信するＭＡＣ ＰＤＵを生成する時、ＵＥは以下のようにＬＣ１及び／又はＬＣ２のデータを含む。Ｋ＜Ｘ１であると、ＵＥはＭＡＣ ＰＤＵにＬＣ１及びＬＣ２のデータを含まない。Ｘ１≦Ｋ＜Ｘ２であると、ＵＥはＭＡＣ ＰＤＵにＬＣ１のデータは含み、ＬＣ２のデータは含まない。Ｘ２≦Ｋ≦Ｙ１であると、ＵＥはＭＡＣ ＰＤＵにＬＣ１及びＬＣ２のデータを含む。Ｙ１≦Ｋ≦Ｙ２であると、ＵＥはＭＡＣ ＰＤＵにＬＣ２のデータは含み、ＬＣ１のデータは含まない。Ｙ２＜Ｋであると、ＵＥはＭＡＣ ＰＤＵにＬＣ１及びＬＣ２のデータを含まない。
【０１４９】
以下、本発明によるニューマロロジーセット(設定)情報を使用する他の例について説明する。
【０１５０】
＞段階１．ネットワークはＵＥに以下のようにＴＴＩセットを設定する：ＴＴＩセット１＝[ＭＩＮ_ＴＴＩ＝Ｘ１、ＭＡＸ_ＴＴＩ＝Ｙ１]、ＴＴＩセット１識別子はＴＳＩＤ１であり；ＴＴＩセット２＝[ＭＩＮ_ＴＴＩ＝Ｘ２、ＭＡＸ_ＴＴＩ＝Ｙ２]、ＴＴＩセット２識別子はＴＳＩＤ２である。ここで、Ｘ１＜Ｘ２＜Ｙ１＜Ｙ２である。
【０１５１】
＞段階２．ネットワークは設定情報を送信してＵＥに２つの論理チャネル(ＬＣ１及びＬＣ２)を設定する。上記設定情報は、論理チャネル＝ＬＣＩＤ１、ＴＳＩＤ１及び論理チャネル＝ＬＣＩＤ２、ＴＳＩＤ２を指示する情報を含む。
【０１５２】
＞段階２．ＵＥは上記設定情報の指示の通り２つの論理チャネル(ＬＣ１及びＬＣ２)を設定する。
【０１５３】
＞段階３．ネットワークはＴＴＩ Ｋに連関する上りリンクグラントをＵＥに送信する。
【０１５４】
＞段階４．ＵＥが段階３でネットワークが送信した上りリンクグラントを受信すると、ＵＥは上りリンクグラントを用いて、送信するＭＡＣ ＰＤＵを生成する。ＵＥが上りリンクグラントを用いて送信するＭＡＣ ＰＤＵを生成する時、ＵＥは以下のようにＬＣ１及び／又はＬＣ２のデータを含む。Ｋ＜Ｘ１であると、ＵＥはＭＡＣ ＰＤＵにＬＣ１及びＬＣ２のデータを含まない。Ｘ１≦Ｋ＜Ｘ２であると、ＵＥはＭＡＣ ＰＤＵにＬＣ１のデータは含み、ＬＣ２のデータは含まない。Ｘ２≦Ｋ≦Ｙ１であると、ＵＥはＭＡＣ ＰＤＵにＬＣ１及びＬＣ２のデータを含む。Ｙ１≦Ｋ≦Ｙ２であると、ＵＥはＭＡＣ ＰＤＵにＬＣ２のデータは含み、ＬＣ１のデータは含まない。Ｙ２＜Ｋであると、ＵＥはＭＡＣ ＰＤＵにＬＣ１及びＬＣ２のデータを含まない。
【０１５５】
図１０は、本発明を実行する送信装置１００及び受信装置２００の構成要素を示すブロック図である。
【０１５６】
送信装置１００及び受信装置２００は、情報及び／又はデータ、信号、メッセージなどを搬送する無線信号を送信又は受信できる無線周波数（ｒａｄｉｏ ｆｒｅｑｕｅｎｃｙ、ＲＦ）ユニット１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１，２１とをそれぞれ備える。
【０１５７】
メモリ１２，２２は、プロセッサ１１，２１の処理及び制御のためのプログラムを格納することができ、入／出力される情報を臨時記憶することができる。メモリ１２，２２をバッファーとして活用することができる。
【０１５８】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ ｓｐｅｃｉｆｉｃ ｉｎｔｅｇｒａｔｅｄ ｃｉｒｃｕｉｔｓ）、ＤＳＰｓ（ｄｉｇｉｔａｌ ｓｉｇｎａｌ ｐｒｏｃｅｓｓｏｒｓ）、ＤＳＰＤｓ（ｄｉｇｉｔａｌ ｓｉｇｎａｌ ｐｒｏｃｅｓｓｉｎｇ ｄｅｖｉｃｅｓ）、ＰＬＤｓ（ｐｒｏｇｒａｍｍａｂｌｅ ｌｏｇｉｃ ｄｅｖｉｃｅｓ）、ＦＰＧＡｓ（ｆｉｅｌｄ ｐｒｏｇｒａｍｍａｂｌｅ ｇａｔｅ ａｒｒａｙｓ）などをプロセッサ１１，２１に具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０１５９】
送信装置１００のプロセッサ１１は、プロセッサ１１又はプロセッサ１１と接続されたスケジューラからスケジュールされて外部に送信される信号及び／又はデータに対して所定のコーディング（ｃｏｄｉｎｇ）及び変調（ｍｏｄｕｌａｔｉｏｎ）を行った後にＲＦユニット１３に送信する。例えば、プロセッサ１１は、送信しようとするデータ列を逆多重化及びチャネルコーディング、スクランブリング、変調過程などを経てK個のレイヤに変換する。コーディングされたデータ列はコードワードとも呼ばれ、ＭＡＣ層の提供するデータブロックである輸送ブロックと等価である。１つの輸送ブロック（ｔｒａｎｓｐｏｒｔ ｂｌｏｃｋ、ＴＢ）は１つのコードワードにコーディングされ、各コードワードは、１つ以上のレイヤの形態で受信装置に送信される。周波数アップコンバートのためにＲＦユニット１３はオシレーター（ｏｓｃｉｌｌａｔｏｒ）を備えることができる。ＲＦユニット１３は、Ｎｔ個（Ｎｔは１以上の正の整数）の送信アンテナを有することができる。
【０１６０】
受信装置２００の信号処理過程は、送信装置１００の信号処理過程の逆に構成される。プロセッサ２１の制御下に、受信装置２００のＲＦユニット２３は送信装置１００によって送信された無線信号を受信する。ＲＦユニット２３はＮｒ個の受信アンテナを有することができ、ＲＦユニット２３は、受信アンテナで受信した信号のそれぞれを周波数ダウンコンバート（ｆｒｅｑｕｅｎｃｙ  ｄｏｗｎ−ｃｏｎｖｅｒｔ）して基底帯域信号に復元する。ＲＦユニット２３は、周波数ダウンコンバートのためにオシレーターを備えることができる。プロセッサ２１は、受信アンテナで受信した無線信号に対する復号（ｄｅｃｏｄｉｎｇ）及び復調（ｄｅｍｏｄｕｌａｔｉｏｎ）を行い、送信装置１００が本来送信しようとしたデータを復元することができる。
【０１６１】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組合せによって構成されてもよい。各アンテナから送信された信号は、受信装置２００でそれ以上分解することができない。該当アンテナに対応して送信された参照信号（ｒｅｆｅｒｅｎｃｅ ｓｉｇｎａｌ、ＲＳ）は、受信装置２００の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２００にとって上記アンテナに対するチャネル推定を可能にする。即ち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ Ｍｕｌｔｉ−Ｏｕｔｐｕｔ、ＭＩＭＯ）機能を支援するＲＦユニットの場合は、２個以上のアンテナと接続することができる。
【０１６２】
本発明の実施例において、ＵＥは、上りリンクでは送信装置１００として動作し、下りリンクでは受信装置２００として動作する。本発明の実施例において、ｅＮＢは、上りリンクでは受信装置２００として動作し、下りリンクでは送信装置１００として動作する。以下、ＵＥに具備されたプロセッサ、ＲＦユニット及びメモリを、ＵＥプロセッサ、ＵＥ ＲＦユニット及びＵＥメモリとそれぞれ称し、ｅＮＢに具備されたプロセッサ、ＲＦユニット及びメモリを、ｅＮＢプロセッサ、ｅＮＢ ＲＦユニット及びｅＮＢメモリとそれぞれ称する。
【０１６３】
ＵＥプロセッサは、本発明により動作するか又は本発明によりＵＥ ＲＦユニットを制御して信号を受送信するように構成される。ｅＮＢプロセッサは、本発明により動作するか又は本発明によりｅＮＢ ＲＦユニットを制御して信号を受送信するように構成される。
【０１６４】
ｅＮＢプロセッサはｅＮＢ ＲＦユニットを制御して１つ以上のニューマロロジーセットのための第１設定情報を送信し、ここで、各々のニューマロロジーセットは１つ以上のニューマロロジーを含む。各々のニューマロロジーは少なくとも副搬送波間隔や送信時間区間の長さを指示する。ｅＮＢプロセッサはｅＮＢ ＲＦユニットを制御して１つ以上の論理チャネルのための第２設定情報を送信し、各々の論理チャネルは１つ以上のニューマロロジーにマッピングされる。ＵＥプロセッサはＵＥ ＲＦユニットを制御して１つ以上のニューマロロジーセットのための第１設定情報を受信する。ＵＥプロセッサはＵＥ ＲＦユニットを制御して１つ以上の論理チャネルのための第２設定情報を受信する。第１設定情報は各々のニューマロロジーセットに属するニューマロロジーの最小及び／又は最大値を指示して該当ニューマロロジーセットを指示する。第１設定情報を用いて設定される１つ以上のニューマロロジーセットは、第１設定情報の代わりに第２設定情報を用いて設定されることもできる。第１設定情報は第２設定情報の一部であることができる。
【０１６５】
ｅＮＢプロセッサはｅＮＢ ＲＦユニットを制御して新しい送信のための第１ＵＬグラントを送信する。ＵＥプロセッサはＵＥ ＲＦユニットを制御して新しい送信のための第１ＵＬグラントを受信する。第１ＵＬグラントは第１ＵＬグラントに連関するニューマロロジーセット(第１ニューマロロジーセット)を指示する情報を含む。ＵＥプロセッサはＵＬグラントと第１ＵＬグラントに連関するニューマロロジーセットを指示する情報に基づいて媒体接近制御(ｍｅｄｉｕｍ Ａｃｃｅｓｓ ｃｏｎｔｒｏｌ、ＭＡＣ)プロトコルデータユニット(ｐｒｏｔｏｃｏｌ ｄａｔａ ｕｎｉｔ、ＰＤＵ)を生成する。ＵＥプロセッサは、所有しているニューマロロジーがいずれも第１ニューマロロジーセットに属する論理チャネルのデータを含むようにＭＡＣ ＰＤＵを生成する。ＵＥプロセッサは、ＭＡＣ ＰＤＵが第１ニューマロロジーセットに属しないニューマロロジーにマッピングされる論理チャネルのデータを含まないようにＭＡＣ ＰＤＵを生成する。ＵＥプロセッサはＵＥ ＲＦユニットを制御して第１ＵＬグラントを用いてＭＡＣ ＰＤＵの新しい送信を行う。第１ＵＬグラントは第１ＵＬグラントに連関するニューマロロジー(第１ニューマロロジー)を指示する情報を含み、ＵＥプロセッサはＵＥ ＲＦユニットを制御して第１ニューマロロジーによって第１ＵＬグラントを用いてＭＡＣ ＰＤＵの新しい送信を行う。第１ニューマロロジーは第１ニューマロロジーセットに属するニューマロロジーである。ｅＮＢプロセッサはｅＮＢ ＲＦユニットを制御して(第１ニューマロロジーに基づいて)第１ＵＬグラントを用いてＭＡＣ ＰＤＵを受信する。ｅＮＢ ＲＦユニットがＭＡＣ ＰＤＵを受信できないか又はｅＮＢプロセッサがＭＡＣ ＰＤＵを成功的にデコーディングできないと、ｅＮＢプロセッサはｅＮＢ ＲＦユニットを制御して再送信のための第２ＵＬグラントを送信する。第２ＵＬグラントは再送信のためのニューマロロジーを指示する情報を含む。ＵＥプロセッサはＰＤＣＣＨをモニタリングする。ＵＥプロセッサがＰＤＣＣＨを検出し、ＰＤＣＣＨが再送信のための第２ＵＬグラントを含む場合、再送信のためのニューマロロジーが第１ＵＬグラントが指示するニューマロロジーセットに属すると、ＵＥプロセッサはＵＥ ＲＦユニットを制御して第２ＵＬグラントを用いてＭＡＣ ＰＤＵの再送信を行う。言い換えれば、ＵＥプロセッサはＵＥ ＲＦユニットを制御してＤＬ又はＵＬグラントを受信することができる。ＵＥ ＲＦユニットがグラントを受信し、受信されたグラントが第２ＵＬグラントである場合、再送信のためのニューマロロジーが第１ＵＬグラントが指示するニューマロロジーセットに属すると、ＵＥプロセッサは第２ＵＬグラントを用いてＭＡＣ ＰＤＵの再送信を行う。再送信のためのニューマロロジーが第１ＵＬグラントが指示するニューマロロジーセットに属しないと、ＵＥプロセッサはＵＥ ＲＦユニットの制御によるＭＡＣ ＰＤＵの再送信を行わない。
【０１６６】
削除
【産業上の利用可能性】
【０１６７】
本発明の実施例は、無線通信システムにおいて、基地局又はユーザ機器、その他の装備に用いることができる。
【図１】
0006792714.tif 000002
【図２】
0006792714.tif 000003
【図３】
0006792714.tif 000004
【図４】
0006792714.tif 000005
【図５】
0006792714.tif 000006
【図６】
0006792714.tif 000007
【図７】
0006792714.tif 000008
【図８】
0006792714.tif 000009
【図９】
0006792714.tif 000010
【図１０】
0006792714.tif 000011